(57)【要約】【課題】第三者による不正なアクセスを防止するとともに、特定の使用者が外部情報記録媒体にアクセスできること。【解決手段】相互に異なる応答ＩＤと秘匿ＩＤとを含むＩＤテーブル１８ａ−１を記憶する記憶部５２と、情報端末装置１０からのＩＤ問合せに対して応答ＩＤを返答し、その後、情報端末装置１０からの処理指示情報に付加されたＩＤと秘匿ＩＤとが一致する場合に、この処理指示情報によって指示される処理を実行する制御を行うタグ制御部５３と、を備える。【選択図】        図１
2006178771.tif 000002
【特許請求の範囲】
【請求項１】
相互に異なる第１固有ＩＤと第２固有ＩＤとを記憶する記憶手段と、
情報端末装置からのＩＤ問合せに対して前記第１固有ＩＤを返答し、その後、前記情報端末装置からの処理指示に付加されたＩＤと前記第２固有ＩＤとが一致する場合に、前記処理指示を実行する制御を行う制御手段と、
を備えたことを特徴とする外部情報記録媒体。
【請求項２】
第１固有ＩＤを記憶する記憶手段と、
情報端末装置からのＩＤ問合せに対して前記第１固有ＩＤを返答するとともに前記第１固有ＩＤを用いた演算式によって該第１固有ＩＤと異なる第２固有ＩＤを算出し、その後、前記情報端末装置からの処理指示に付加されたＩＤと前記第２固有ＩＤとが一致する場合に、前記処理指示を実行する制御を行う制御手段と、
を備えたことを特徴とする外部情報記録媒体。
【請求項３】
前記第２固有ＩＤは、複数のＩＤであり、
前記制御手段は、前記処理指示を実行する毎に、先頭の第２固有ＩＤから最後尾の第２固有ＩＤに向かう一連の順序で複数の前記第２固有ＩＤを順次切り替え、切り替えた第２固有ＩＤと一致するＩＤが付加された処理指示を実行する制御を行うことを特徴とする請求項１に記載の外部情報記録媒体。
【請求項４】
前記第２固有ＩＤは、前記処理指示の各種別にそれぞれ対応する複数のＩＤであり、
前記制御手段は、前記処理指示に付加されたＩＤと該処理指示の種別に対応する第２固有ＩＤとが同一である場合に、前記処理指示を実行する制御を行うことを特徴とする請求項１に記載の外部情報記録媒体。
【請求項５】
前記制御手段は、前記第１固有ＩＤを返答するとともに、その都度、前記先頭の第２固有ＩＤを初期ＩＤに設定し、前記処理指示を実行する毎に、一連の順序で複数の前記第２固有ＩＤを順次切り替えることを特徴とする請求項３に記載の外部情報記録媒体。
【請求項６】
前記制御手段は、前記処理指示を実行する毎に、現在の第２固有ＩＤを用いた演算式によって次の第２固有ＩＤを算出する演算処理を順次行い、該次の第２固有ＩＤと一致するＩＤが付加された処理指示を実行する制御を行うことを特徴とする請求項２に記載の外部情報記録媒体。
【請求項７】
前記制御手段は、前記最後尾の第２固有ＩＤに対する次の第２固有ＩＤを前記先頭の第２固有ＩＤまたは前の順序の第２固有ＩＤに設定し、前記次の第２固有ＩＤから前記最後尾の第２固有ＩＤに向けて複数の前記第２固有ＩＤを順次切り替える処理を繰り返すことを特徴とする請求項３または５に記載の外部情報記録媒体。
【請求項８】
前記制御手段は、前記第１固有ＩＤを用いた演算式によって算出した第２固有ＩＤを初期の第２固有ＩＤとし、次の第２固有ＩＤの値を降順または昇順に順次演算処理し、該降順または該昇順の最後尾の第２固有ＩＤを算出した場合、前記最後尾の第２固有ＩＤに対する次の第２固有ＩＤを前記初期の第２固有ＩＤに設定し、次の第２固有ＩＤの値を順次算出する演算処理を繰り返すことを特徴とする請求項６に記載の外部情報記録媒体。
【請求項９】
請求項１〜８のいずれか一つに記載の外部情報記録媒体と、
前記外部情報記録媒体に対する処理指示に前記外部情報記録媒体と一致する同一ＩＤを付加し、該同一ＩＤとともに該処理指示を前記外部情報記録媒体に送信して前記外部情報記録媒体に前記処理指示による処理実行を指示する情報端末装置と、
を備えたことを特徴とするＲＦＩＤシステム。
【請求項１０】
前記情報端末装置は、
前記外部情報記録媒体の第１固有ＩＤと第２固有ＩＤとを対応付けて記憶する記憶手段と、
前記外部情報記録媒体にＩＤを問い合わせて前記外部情報記録媒体の第１固有ＩＤを取得し、該第１固有ＩＤと対応付けた前記第２固有ＩＤを抽出し、抽出した前記第２固有ＩＤを前記同一ＩＤとして前記処理指示に付加するとともに前記処理指示を送信する制御を行う制御手段と、
を備えたことを特徴とする請求項９に記載のＲＦＩＤシステム。
【請求項１１】
前記情報端末装置は、前記外部情報記録媒体にＩＤを問い合わせて前記外部情報記録媒体の第１固有ＩＤを取得し、該第１固有ＩＤを用いた演算式によって前記外部情報記録媒体の第２固有ＩＤを算出し、該第２固有ＩＤを前記同一ＩＤとして前記処理指示に付加するとともに前記処理指示を送信する制御を行う制御手段を備えたことを特徴とする請求項９に記載のＲＦＩＤシステム。
【請求項１２】
前記第２固有ＩＤは、前記外部情報記録媒体と同一の複数のＩＤであり、
前記制御手段は、前記処理指示が完了する毎に、複数の前記第２固有ＩＤのうちの抽出する第２固有ＩＤを一連の順序で順次切り替えることを特徴とする請求項１０に記載のＲＦＩＤシステム。
【請求項１３】
前記第２固有ＩＤは、前記処理指示の各種別にそれぞれ対応する複数のＩＤであり、
前記制御手段は、複数の前記第２固有ＩＤのうち、前記処理指示の種別に対応する第２固有ＩＤを前記同一ＩＤとして前記処理指示に付加することを特徴とする請求項１０に記載のＲＦＩＤシステム。
【請求項１４】
前記制御手段は、前記処理指示が完了する毎に、現在の第２固有ＩＤを用いた演算式によって次の第２固有ＩＤを算出する演算処理を順次行い、該次の第２固有ＩＤを前記同一ＩＤとして前記処理指示に付加することを特徴とする請求項１１に記載のＲＦＩＤシステム。
【発明の詳細な説明】
【技術分野】
【０００１】
この発明は、情報端末装置によって処理指示された読取対象の情報を無線送信し、または書込対象の情報を記録する外部情報記録媒体およびこれを用いたＲＦＩＤシステムに関するものである。
【背景技術】
【０００２】
従来から、小型の集積回路と無線通信用のアンテナとを組み合わせたＲＦＩＤ（Radio Frequency Identification）タグおよびカード状の樹脂製板にＲＦＩＤ機能が設けられた非接触ＩＣカード等の外部情報記録媒体が普及している。これとともに、所定の電波を介し、外部情報記録媒体に記録された情報を読み取る機能と外部情報記録媒体に所望の情報を書き込む機能とを備えたＰＤＡ（Personal Digital Assistant）またはＲＦＩＤリーダライタ等の非接触による情報読取処理および情報書込処理を行える情報端末装置が開発されている。このような外部情報記録媒体と情報端末装置とを用いたＲＦＩＤシステムは、一群内の各個体の情報管理に有用であるので、流通業界をはじめとする様々な業種において実用化されている。
【０００３】
また、この外部情報記録媒体として、たとえばＩＳＯ１５６９３に規定されるＲＦＩＤタグでは、全ＲＦＩＤタグに対してユニークであることが保証されているＩＤ情報が割り振られている。情報端末装置は、特定のＲＦＩＤタグに対してアクセスする（たとえばＲＦＩＤタグに記録された情報を読み取る）ために、まず、ＲＦＩＤタグに対してＩＤ情報を問い合わせる無線通信を行い、所定の電波を介してＲＦＩＤタグのＩＤ情報を取得する。その後、情報端末装置は、取得したＩＤ情報を用いて特定のＲＦＩＤタグに対する読取指示情報を送信する。ＲＦＩＤタグは、情報端末装置からの読取指示情報を受信し、受信した読取指示情報に対して自身のＩＤ情報（すなわちＩＤ情報の問い合わせに応答して情報端末装置に通知したＩＤ情報）が指定されている場合、この読取指示情報を自身に対するものと判断し、この読取指示情報に基づいて記録情報を情報端末装置に送信する。これによって、情報端末装置は、複数のＲＦＩＤタグのうち、取得したＩＤ情報を用いて特定した処理対象のＲＦＩＤタグ内の記録情報を読み取ることができる。
【０００４】
このようなＲＦＩＤ技術に関し、個人ユーザの各所持品に付された各ＲＦＩＤタグのＩＤ情報をもとに個人ユーザが特定または移動追跡される等の個人ユーザのプライバシー侵害を防止するために、これら各ＲＦＩＤタグに対するＩＤ情報の問い合わせに応答して、個人ユーザの特定または移動追跡等を撹乱するための偽ＩＤ情報を送信するＲＦＩＤタグがある（特許文献１参照）。
【０００５】
【特許文献１】特開２００４−１９２６４５号公報
【発明の開示】
【発明が解決しようとする課題】
【０００６】
しかしながら、上述した従来のＲＦＩＤシステムでは、ＩＤ情報の問い合わせに応答して情報端末装置に通知したＩＤ情報と同一のＩＤ情報を処理指示情報とともに外部情報記録媒体に送信して、処理対象の外部情報記録媒体を指定して処理指示する。このため、このＩＤ情報を取得した第三者によって外部情報記録媒体に容易にアクセスされ、たとえば外部情報記録媒体に記録された情報が第三者によって無許可に読み出される事態を容易に起こし、または外部情報記録媒体に記録された情報が第三者によって不正に書き換えられる事態を容易に起こすという問題点があった。
【０００７】
なお、上述した特許文献１に記載されたＲＦＩＤタグを用いた場合であっても、ＩＤ情報の問合せによって、撹乱用の偽ＩＤ情報とともに処理対象のＲＦＩＤタグのＩＤ情報が情報端末装置に読み取られるので、このＩＤ情報によって処理対象のＲＦＩＤタグが特定かつ処理指示され、上述した問題点を解決するに到らない。
【０００８】
この発明は、上記事情に鑑みてなされたものであって、第三者による不正なアクセスを防止するとともに、特定の使用者が情報端末装置を用いてアクセスできる外部情報記録媒体およびこれを用いたＲＦＩＤシステムを提供することを目的とする。
【課題を解決するための手段】
【０００９】
上述した課題を解決し、目的を達成するために、請求項１にかかる外部情報記録媒体は、相互に異なる第１固有ＩＤと第２固有ＩＤとを記憶する記憶手段と、情報端末装置からのＩＤ問合せに対して前記第１固有ＩＤを返答し、その後、前記情報端末装置からの処理指示に付加されたＩＤと前記第２固有ＩＤとが一致する場合に、前記処理指示を実行する制御を行う制御手段と、を備えたことを特徴とする。
【００１０】
また、請求項２にかかる外部情報記録媒体は、第１固有ＩＤを記憶する記憶手段と、情報端末装置からのＩＤ問合せに対して前記第１固有ＩＤを返答するとともに前記第１固有ＩＤを用いた演算式によって該第１固有ＩＤと異なる第２固有ＩＤを算出し、その後、前記情報端末装置からの処理指示に付加されたＩＤと前記第２固有ＩＤとが一致する場合に、前記処理指示を実行する制御を行う制御手段と、を備えたことを特徴とする。
【００１１】
また、請求項３にかかる外部情報記録媒体は、上記発明において、前記第２固有ＩＤは、複数のＩＤであり、前記制御手段は、前記処理指示を実行する毎に、先頭の第２固有ＩＤから最後尾の第２固有ＩＤに向かう一連の順序で複数の前記第２固有ＩＤを順次切り替え、切り替えた第２固有ＩＤと一致するＩＤが付加された処理指示を実行する制御を行うことを特徴とする。
【００１２】
また、請求項４にかかる外部情報記録媒体は、上記発明において、前記第２固有ＩＤは、前記処理指示の各種別にそれぞれ対応する複数のＩＤであり、前記制御手段は、前記処理指示に付加されたＩＤと該処理指示の種別に対応する第２固有ＩＤとが同一である場合に、前記処理指示を実行する制御を行うことを特徴とする。
【００１３】
また、請求項５にかかる外部情報記録媒体は、上記発明において、前記制御手段は、前記第１固有ＩＤを返答するとともに、その都度、前記先頭の第２固有ＩＤを初期ＩＤに設定し、前記処理指示を実行する毎に、一連の順序で複数の前記第２固有ＩＤを順次切り替えることを特徴とする。
【００１４】
また、請求項６にかかる外部情報記録媒体は、上記発明において、前記制御手段は、前記処理指示を実行する毎に、現在の第２固有ＩＤを用いた演算式によって次の第２固有ＩＤを算出する演算処理を順次行い、該次の第２固有ＩＤと一致するＩＤが付加された処理指示を実行する制御を行うことを特徴とする。
【００１５】
また、請求項７にかかる外部情報記録媒体は、上記発明において、前記制御手段は、前記最後尾の第２固有ＩＤに対する次の第２固有ＩＤを前記先頭の第２固有ＩＤまたは前の順序の第２固有ＩＤに設定し、前記次の第２固有ＩＤから前記最後尾の第２固有ＩＤに向けて複数の前記第２固有ＩＤを順次切り替える処理を繰り返すことを特徴とする。
【００１６】
また、請求項８にかかる外部情報記録媒体は、上記発明において、前記制御手段は、前記第１固有ＩＤを用いた演算式によって算出した第２固有ＩＤを初期の第２固有ＩＤとし、次の第２固有ＩＤの値を降順または昇順に順次演算処理し、該降順または該昇順の最後尾の第２固有ＩＤを算出した場合、前記最後尾の第２固有ＩＤに対する次の第２固有ＩＤを前記初期の第２固有ＩＤに設定し、次の第２固有ＩＤの値を順次算出する演算処理を繰り返すことを特徴とする。
【００１７】
また、請求項９にかかるＲＦＩＤシステムは、請求項１〜８のいずれか一つに記載の外部情報記録媒体と、前記外部情報記録媒体に対する処理指示に前記外部情報記録媒体と一致する同一ＩＤを付加し、該同一ＩＤとともに該処理指示を前記外部情報記録媒体に送信して前記外部情報記録媒体に前記処理指示による処理実行を指示する情報端末装置と、を備えたことを特徴とする。
【００１８】
また、請求項１０にかかるＲＦＩＤシステムは、上記発明において、前記情報端末装置は、前記外部情報記録媒体の第１固有ＩＤと第２固有ＩＤとを対応付けて記憶する記憶手段と、前記外部情報記録媒体にＩＤを問い合わせて前記外部情報記録媒体の第１固有ＩＤを取得し、該第１固有ＩＤと対応付けた前記第２固有ＩＤを抽出し、抽出した前記第２固有ＩＤを前記同一ＩＤとして前記処理指示に付加するとともに前記処理指示を送信する制御を行う制御手段と、を備えたことを特徴とする。
【００１９】
また、請求項１１にかかるＲＦＩＤシステムは、上記発明において、前記情報端末装置は、前記外部情報記録媒体にＩＤを問い合わせて前記外部情報記録媒体の第１固有ＩＤを取得し、該第１固有ＩＤを用いた演算式によって前記外部情報記録媒体の第２固有ＩＤを算出し、該第２固有ＩＤを前記同一ＩＤとして前記処理指示に付加するとともに前記処理指示を送信する制御を行う制御手段を備えたことを特徴とする。
【００２０】
また、請求項１２にかかるＲＦＩＤシステムは、上記発明において、前記第２固有ＩＤは、前記外部情報記録媒体と同一の複数のＩＤであり、前記制御手段は、前記処理指示が完了する毎に、複数の前記第２固有ＩＤのうちの抽出する第２固有ＩＤを一連の順序で順次切り替えることを特徴とする。
【００２１】
また、請求項１３にかかるＲＦＩＤシステムは、上記発明において、前記第２固有ＩＤは、前記処理指示の各種別にそれぞれ対応する複数のＩＤであり、前記制御手段は、複数の前記第２固有ＩＤのうち、前記処理指示の種別に対応する第２固有ＩＤを前記同一ＩＤとして前記処理指示に付加することを特徴とする。
【００２２】
また、請求項１４にかかるＲＦＩＤシステムは、上記発明において、前記制御手段は、前記処理指示が完了する毎に、現在の第２固有ＩＤを用いた演算式によって次の第２固有ＩＤを算出する演算処理を順次行い、該次の第２固有ＩＤを前記同一ＩＤとして前記処理指示に付加することを特徴とする。
【発明の効果】
【００２３】
この発明によれば、第三者による不正なアクセスを防止するとともに、特定の使用者が情報端末装置を用いてアクセスできる外部情報記録媒体およびこれを用いたＲＦＩＤシステムを実現できるという効果を奏する。
【発明を実施するための最良の形態】
【００２４】
以下、添付図面を参照して、この発明にかかる外部情報記録媒体およびこれを用いたＲＦＩＤシステムの好適な実施の形態を詳細に説明する。なお、この実施の形態によって、この発明が限定されるものではない。
【００２５】
（実施の形態１）
図１は、この発明の実施の形態１であるＲＦＩＤシステムの概略構成を模式的に例示するブロック図である。図１において、このＲＦＩＤシステム１は、無線通信機能と情報記録機能とを有する１以上の外部情報記録媒体たとえばＲＦＩＤタグと、ＲＦＩＤシステム１の各ＲＦＩＤタグに対して非接触による情報読取処理または情報書込処理を行える情報端末装置１０とを備える。なお、図１では、ＲＦＩＤシステム１を構成する１以上のＲＦＩＤタグのうち、ＲＦＩＤタグ５０を一例として示す。また、以下では、情報端末装置１０およびＲＦＩＤタグ５０の各構成および各機能を説明するが、ＲＦＩＤシステム１の全ＲＦＩＤタグは、ＲＦＩＤタグ５０と同様に機能し、情報端末装置１０は、ＲＦＩＤシステム１のＲＦＩＤタグ５０以外の各ＲＦＩＤタグに対し、ＲＦＩＤタグ５０の場合と同様に作用する。
【００２６】
情報端末装置１０は、入力部１１、表示部１２、無線通信用のアンテナ１３ａ、ＲＦＩＤ処理部１３、光学情報読取部１４、外部通信部１５、ストレージデバイス１６、音声入出力部１７、記憶部１８、および制御部１９を有する。
【００２７】
入力部１１は、複数の入力キーを用いて実現され、医者または看護師等の使用者によるキー操作に応じ、各種情報を制御部１９に入力する。このキー操作によって、入力部１１は、たとえば制御部１９に対して指示する各種指示情報を制御部１９に入力する。この指示情報の例としては、表示部１２に表示出力する情報、外部情報記録媒体に書き込む所望の情報（書込情報）、外部情報記録媒体内の情報を読み取る処理（情報読取処理）を開始指示する指示情報、光学情報記録媒体に記録された情報を読み取る処理（光学情報読取処理）を開始指示する指示情報、外部情報記録媒体に対してそのＩＤ情報を問い合わせるＩＤ問合せ処理を開始指示する指示情報、および書込情報を外部情報記録媒体に書き込む処理（情報書込処理）を開始指示する指示情報等が挙げられる。
【００２８】
表示部１２は、液晶表示装置（ＬＣＤ）または有機ＥＬパネル等の薄型ディスプレイを用いて実現される。表示部１２は、制御部１９によって表示指示された各種情報を外部に表示出力する。この表示内容の例として、情報読取処理によって外部情報記録媒体から読み取った情報、光学情報読取処理によって光学情報記録媒体から読み取った情報、書込情報等の入力部１１によって入力された情報、ＩＤ問合せ処理によって取得した外部情報記録媒体のＩＤ情報、および情報端末装置１０に発生した各種エラーを報知するエラー表示等が挙げられる。
【００２９】
アンテナ１３ａは、たとえばループアンテナであり、アルミニウム、チタン−ニッケル合金、銅合金、またはステンレス等の金属を用いて実現される。アンテナ１３ａは、所定の電波を介して外部情報記録媒体たとえばＲＦＩＤタグ５０との無線通信を行うためのものである。具体的には、アンテナ１３ａは、ＲＦＩＤ処理部１３から入力された電気信号を所定の電波に変換するとともに、この所定の電波を介し、この電気信号に基づく情報を外部情報記録媒体に送信する。また、アンテナ１３ａは、外部情報記録媒体からの電波を受信するとともに、この電波を電気信号に変換する。アンテナ１３ａは、この電気信号をＲＦＩＤ処理部１３に送信する。
【００３０】
ＲＦＩＤ処理部１３は、周知の変調回路、復調回路、および高周波回路等を用いて実現される。ＲＦＩＤ処理部１３は、制御部１９から入力された電気信号に対して所定の変調処理および電力増幅処理等を行い、得られた電気信号をアンテナ１３ａに出力する。また、ＲＦＩＤ処理部１３は、アンテナ１３ａから受信した電気信号に対して所定の復調処理を行い、外部情報記録媒体から送信された情報を取得する。ＲＦＩＤ処理部１３は、取得した情報を制御部１９に送信する。
【００３１】
光学情報読取部１４は、外部の光学情報記録媒体に記録された光学情報を読み取るためのものである。光学情報読取部１４は、赤外光または可視光等を発光する発光素子と、レンズおよびミラー等の光学系と、受光した光学情報を所定の電気信号に変換する光電変換機能を有するＣＣＤ（Charge Coupled Device）またはフォトダイオード等の受光素子とを用いて実現される。具体的には、光学情報読取部１４は、光学情報記録媒体に対して赤外光または可視光等を出力するとともに、この外部情報記録媒体からの反射光を受光し、受光した反射光をもとに、この外部情報記録媒体の光学情報を取得する。光学情報読取部１４は、取得した光学情報を電気信号に変換して制御部１９に送信する。
【００３２】
外部通信部１５は、ＲＳ２３２Ｃ、ＵＳＢ、またはＩＥＥＥ１３９４等に準拠したシリアル通信インターフェース、ＩＥＥＥ１２８４等に準拠したパラレル通信インターフェース、あるいはＩｒＤＡ規格に準拠した赤外線通信インターフェース等を用いて実現され、外部のホストコンピュータ（図示せず）またはプリンタ等の周辺機器（図示せず）に対する情報通信を行う。外部通信部１５は、制御部１９によって送信指示または受信指示された各種情報をたとえば外部のホストコンピュータまたはプリンタ等の周辺機器との間で送信または受信する。なお、外部通信部１５は、たとえば外部のホストコンピュータまたは周辺機器の各端子に電気的に接続できる共用端子が設けられ、この共用端子を介して情報通信を行ってもよい。
【００３３】
ストレージデバイス１６は、所定の記憶メディアを着脱可能に装着でき、この記憶メディアに記録された情報を読み取り、またはこの記憶メディアに所望の情報を書き込む。具体的には、ストレージデバイス１６は、制御部１９によって読取指示された情報をこの記憶メディア内から読み取り、読み取った情報を制御部１９に送信する。また、ストレージデバイス１６は、制御部１９によって書込指示された情報をこの記憶メディアに書き込む。なお、この記憶メディアの例として、スマートメディア、メモリスティック、マルチメディアカード、またはＳＤメモリカード等の各種記憶メディアが挙げられる。
【００３４】
音声入出力部１７は、マイクロフォンおよびスピーカを用いて実現される。音声入出力部１７は、外部からの音声および音等の音情報を制御部１９に入力する。また、音声入出力部１７は、制御部１９によって出力指示された音情報を外部に出力する。なお、音声入出力部１７は、制御部１９による出力指示に基づき、各構成部による処理の開始または完了を報知する報知音を出力してもよいし、情報端末装置１０に発生した各種エラーを報知するエラー音を出力してもよい。
【００３５】
記憶部１８は、ＲＡＭ、ＥＥＰＲＯＭ、またはフラッシュメモリ等の情報の再書き込みおよび読み出しが可能な各種ＩＣメモリを用いて実現される。記憶部１８は、制御部１９によって書込指示された情報を記憶し、また、記憶した情報のうち、制御部１９によって読取指示された情報を読み出すとともに、読み出した情報を制御部１９に送信する。また、記憶部１８には、ＲＦＩＤシステム１を構成する全ＲＦＩＤタグのＩＤ情報に関する各ＩＤテーブル（ＩＤテーブル１８ａ−１，１８ａ−２，…）が予め書き込まれる。この場合、記憶部１８は、たとえばＲＦＩＤタグ５０のＩＤテーブル１８ａ−１を格納している。
【００３６】
制御部１９は、各種処理プログラムを実行するＣＰＵと、このＣＰＵが実行する各種処理プログラム等を予め記憶したＲＯＭと、各処理の演算パラメータまたは制御部１９が受信した各種情報等を一時的に記憶するＲＡＭとを用いて実現される。制御部１９は、情報端末装置１０の各構成部に対して駆動制御および情報の入出力制御を行う。また、制御部１９は、情報端末装置１０の各構成部との間で入出力される情報に対して所定の情報処理を行う。
【００３７】
また、制御部１９は、入力部１１から入力された指示情報に基づいて各種処理を行う。たとえば、制御部１９は、入力された指示情報に基づいて、ＩＤ情報を問い合わせるためのＩＤ問合せ情報をたとえばＲＦＩＤタグ５０に送信するようＲＦＩＤ処理部１３を制御する。この場合、制御部１９は、ＩＤ問合せ情報に基づいてＲＦＩＤタグ５０が返答したＩＤ情報を取得してＩＤ問合せ処理を達成する。
【００３８】
さらに、制御部１９は、入力された指示情報に基づいてたとえばＲＦＩＤタグ５０にアクセスし、ＲＦＩＤタグ５０に記録された情報を非接触で読み取る情報読取処理あるいは指示された書込情報をＲＦＩＤタグ５０に書き込む情報書込処理を行う。この場合、制御部１９は、ＩＤ問合せ処理によって取得したＩＤ情報とＩＤテーブル１８ａ−１とを用い、ＲＦＩＤタグ５０を特定するＩＤ情報をＩＤテーブル１８ａ−１から抽出する。制御部１９は、処理指示先としてＲＦＩＤタグ５０を指定するために、ＲＦＩＤタグ５０に対する処理指示情報たとえば読取指示情報または書込指示情報にこの抽出したＩＤ情報を付加し、このＩＤ情報を付加した読取指示情報または書込指示情報をＲＦＩＤタグ５０に送信するようＲＦＩＤ処理部１３を制御する。このようにして、制御部１９は、たとえばＲＦＩＤタグ５０への処理指示情報に対してＲＦＩＤタグ５０を特定するＩＤ情報を付加し、このＩＤ情報を付加した処理指示情報をＲＦＩＤタグ５０に送信する制御を行うことによって、処理指示先としてＲＦＩＤタグ５０を指定して各種処理を指示する。また、制御部１９は、入力された指示情報に基づいて光学情報読取部１４を制御し、外部の光学情報記録媒体に記録された光学情報を非接触で読み取る光学情報読取処理を行う。
【００３９】
さらに、制御部１９は、ＩＤ切替制御部１９ａを有する。ＩＤ切替制御部１９ａは、ＲＦＩＤシステム１の各ＲＦＩＤタグ（たとえばＲＦＩＤタグ５０）に対する処理指示情報に付加するＩＤ情報を切り替えるよう機能する。このＩＤ切替制御部１９ａの動作については、後述する。
【００４０】
つぎに、ＲＦＩＤタグ５０の構成について説明する。図１に示すように、ＲＦＩＤタグ５０は、無線通信用のアンテナ５１ａ、ＲＦＩＤ処理部５１、記憶部５２、およびタグ制御部５３を有する。アンテナ５１ａは、たとえばループアンテナであり、アルミニウム、チタン−ニッケル合金、銅合金、またはステンレス等の金属を用いて実現される。アンテナ５１ａは、所定の電波を介して情報端末装置１０との無線通信を行うためのものである。アンテナ５１ａは、情報端末装置１０のアンテナ１３ａとの間で所定の電波を送受信できるように構成される。具体的には、アンテナ５１ａは、たとえばアンテナ１３ａの共振周波数とほぼ同じ共振周波数を有するように構成される。アンテナ５１ａは、アンテナ１３ａによって出力された電波を受信し、受信した電波を電気信号に変換するとともに、この電気信号をＲＦＩＤ処理部５１に送信する。また、アンテナ５１ａは、ＲＦＩＤ処理部５１から入力された電気信号を所定の電波に変換するとともに、この所定の電波を介し、この電気信号に基づく情報を情報端末装置１０に送信する。
【００４１】
ＲＦＩＤ処理部５１は、周知の変調回路、復調回路、および高周波回路等を用いて実現される。ＲＦＩＤ処理部５１は、タグ制御部５３から入力された電気信号に対して所定の変調処理および電力増幅処理等を行い、得られた電気信号をアンテナ５１ａに出力する。また、ＲＦＩＤ処理部５１は、アンテナ５１ａから受信した電気信号に対して所定の復調処理を行い、情報端末装置１０から送信された情報たとえば各種処理指示情報を取得する。ＲＦＩＤ処理部５１は、取得した情報をタグ制御部５３に送信する。
【００４２】
記憶部５２は、ＲＡＭ、ＥＥＰＲＯＭ、またはフラッシュメモリ等の情報の再書き込みおよび読み出しが可能な各種ＩＣメモリを用いて実現される。記憶部５２は、タグ制御部５３によって書込指示された情報（たとえば書込情報）を記憶し、また、記憶した情報のうち、タグ制御部５３によって読取指示された情報（たとえば上述した情報読取処理の読取対象の情報）を読み出すとともに、読み出した情報をタグ制御部５３に送信する。
【００４３】
また、記憶部５２は、ＲＦＩＤタグ５０を特定するためのＩＤ情報として、情報端末装置１０によるＩＤ情報の問合せに対して返答する第１固有ＩＤである応答ＩＤと、この応答ＩＤと異なる第２固有ＩＤである１以上の秘匿ＩＤとを予め記憶している。この場合、記憶部５２は、たとえばこの応答ＩＤと１以上の秘匿ＩＤとを対応付けたＩＤテーブル１８ａ−１を有する。このＩＤテーブル１８ａ−１は、上述したように、情報端末装置１０の記憶部１８にも予め書き込まれている。
【００４４】
なお、ＲＦＩＤシステム１を構成する全ＲＦＩＤタグには、相互に異なる固有のＩＤ情報（すなわち応答ＩＤおよび１以上の秘匿ＩＤ）が予め割り振られる。これらの全ＲＦＩＤタグは、応答ＩＤと１以上の秘匿ＩＤとを対応付けた固有のＩＤテーブル（たとえばＩＤテーブル１８ａ−１，１８ａ−２，…）がそれぞれの記憶部に予め書き込まれる。また、この応答ＩＤおよび秘匿ＩＤは、たとえばＩＳＯ１５６９３によって全ＲＦＩＤタグに対してユニークであることが保証されたＩＤ情報である。
【００４５】
タグ制御部５３は、各種処理プログラムを実行するＣＰＵと、このＣＰＵが実行する各種処理プログラム等を予め記憶したＲＯＭと、各処理の演算パラメータまたはタグ制御部５３が受信した各種情報等を一時的に記憶するＲＡＭとを用いて実現される。タグ制御部５３は、ＲＦＩＤタグ５０の各構成部に対して駆動制御および情報の入出力制御を行う。また、タグ制御部５３は、ＲＦＩＤタグ５０の各構成部との間で入出力される情報に対して所定の情報処理を行う。
【００４６】
また、タグ制御部５３は、情報端末装置１０からの各種処理指示情報によって指示された各種処理を行う。たとえば、タグ制御部５３は、情報端末装置１０からのＩＤ問合せ情報に基づいてＲＦＩＤ処理部５１を制御し、ＲＦＩＤタグ５０のＩＤ情報（具体的には応答ＩＤ）を情報端末装置１０に通知する。また、タグ制御部５３は、ＩＤ問合せ情報以外の各種処理指示情報たとえば読取指示情報または書込指示情報を受信した場合、受信した処理指示情報がＲＦＩＤタグ５０に対して処理指示されたものであるか否かを判断し、処理指示先としてＲＦＩＤタグ５０が指定された処理指示情報に基づく処理を行う。
【００４７】
たとえば、タグ制御部５３は、情報端末装置１０からの読取指示情報に付加されたＩＤ情報とＲＦＩＤタグ５０の秘匿ＩＤとを照合し、これらのＩＤ情報が同一である場合に、この読取指示情報の処理指示先がＲＦＩＤタグ５０であると判断する。この場合、タグ制御部５３は、この読取指示情報に基づいてＲＦＩＤ処理部５１を制御し、読取指示された情報を情報端末装置１０に送信する。また、タグ制御部５３は、情報端末装置１０からの書込指示情報に付加されたＩＤ情報とＲＦＩＤタグ５０の秘匿ＩＤとを照合し、これらのＩＤ情報が同一である場合に、この書込指示情報の処理指示先がＲＦＩＤタグ５０であると判断する。この場合、タグ制御部５３は、この書込指示情報に基づいて書込情報を記憶部５２に書き込む。
【００４８】
また、タグ制御部５３は、ＲＦＩＤタグ５０のＩＤ情報を切り替えるためのタグＩＤ切替制御部５３ａを有する。タグＩＤ切替制御部５３ａは、情報端末装置１０からのＩＤ問合せ情報に対して返答するＩＤ情報すなわち応答ＩＤと、各種指示情報の処理指示先がＲＦＩＤタグ５０であるか否かを判断するためのＩＤ情報すなわち秘匿ＩＤとを使い分けるとともに、処理指示情報毎に秘匿ＩＤを別の秘匿ＩＤに順次切り替えるためのものである。このタグＩＤ切替制御部５３ａの動作については、後述する。
【００４９】
つぎに、ＩＤテーブル１８ａ−１を例示して、ＲＦＩＤシステム１の各ＲＦＩＤタグのＩＤテーブルを具体的に説明する。ＩＤテーブル１８ａ−１は、上述したように、ＲＦＩＤタグ５０に固有のＩＤ情報である応答ＩＤと、この応答ＩＤに対応付けられた１以上の秘匿ＩＤとを含む。図２は、ＩＤテーブル１８ａ−１の一具体例を模式的に示す模式図である。図２に示すように、ＩＤテーブル１８ａ−１は、ＲＦＩＤタグ５０に固有の応答ＩＤ１００と１以上たとえば２つの秘匿ＩＤ１０１，１０２とを含み、応答ＩＤ１００と秘匿ＩＤ１０１，１０２とが対応付けられている。また、応答ＩＤ１００は、秘匿ＩＤ１０１，１０２と異なるＩＤ情報（たとえば「Ａ１００」）が割り振られ、秘匿ＩＤ１０１，１０２は、相互に異なるＩＤ情報（たとえば「Ａ１０１」および「Ａ１０２」）がそれぞれ割り振られる。
【００５０】
つぎに、タグＩＤ切替制御部５３ａが行うＩＤ情報の切替動作とＩＤ切替制御部１９ａが行うＩＤ情報の切替動作とについて詳細に説明する。図３は、タグＩＤ切替制御部５３ａがＲＦＩＤタグ５０のＩＤ情報を切り替える処理手順を説明するフローチャートである。図４は、ＩＤ切替制御部１９ａが処理指示情報に対して指定するＩＤ情報を切り替える処理手順を説明するフローチャートである。図５は、ＩＤ切替制御部１９ａによるＩＤ情報の切替動作とタグＩＤ切替制御部５３ａによるＩＤ情報の切替動作とを説明するための模式図である。
【００５１】
まず、タグＩＤ切替制御部５３ａが行うＩＤ情報の切替動作について詳細に説明する。図３において、タグＩＤ切替制御部５３ａは、まず、ＲＦＩＤタグ５０のＩＤ情報を問い合わせるＩＤ問合せ情報の検知判定処理を行う（ステップＳ１０１）。たとえば情報端末装置１０がＲＦＩＤタグ５０に対してＩＤ情報を問い合わせた場合、タグ制御部５３は、情報端末装置１０からのＩＤ問合せ情報を受信する。この場合、タグＩＤ切替制御部５３ａは、このＩＤ問合せ情報を検知し（ステップＳ１０１，Ｙｅｓ）、タグ制御部５３に対し、このＩＤ問合せ情報の送信元たとえば情報端末装置１０に返答するＩＤ情報としてＲＦＩＤタグ５０の応答ＩＤを送信指定する（ステップＳ１０２）。
【００５２】
たとえば、ＩＤテーブル１８ａ−１が図２に例示したＩＤ情報を有する場合、タグＩＤ切替制御部５３ａは、ステップＳ１０２において、ＩＤテーブル１８ａ−１を参照して応答ＩＤ１００を抽出し、タグ制御部５３に対し、この応答ＩＤ１００を送信指定する。この場合、タグ制御部５３は、送信指定された応答ＩＤ１００をＩＤ問合せ情報の送信元たとえば情報端末装置１０に送信するようＲＦＩＤ処理部５１を制御し、このＩＤ問合せ情報の返答として情報端末装置１０に応答ＩＤ１００を通知する。
【００５３】
なお、タグＩＤ切替制御部５３ａは、ステップＳ１０２において、処理指示情報に付加されたＩＤ情報と照合して処理指示先がＲＦＩＤタグ５０であるか否かを判断するための秘匿ＩＤ（たとえば秘匿ＩＤ１０１，１０２）を送信指定しない。すなわち、ＲＦＩＤタグ５０は、情報端末装置１０等の外部からのＩＤ情報の問合せに対して秘匿ＩＤを返答しない。
【００５４】
つぎに、タグＩＤ切替制御部５３ａは、応答ＩＤを送信指定したことをトリガーとし、秘匿ＩＤの切替設定を初期化する（ステップＳ１０３）。この初期化によって、タグＩＤ切替制御部５３ａは、後述するステップＳ１０５での抽出対象の秘匿ＩＤをＩＤテーブル１８ａ−１内の１以上の秘匿ＩＤのうちの初期の秘匿ＩＤに変更する。
【００５５】
ここで、ＩＤテーブル１８ａ−１内の１以上の秘匿ＩＤは、タグＩＤ切替制御部５３ａが所定に切替規則に従って秘匿ＩＤを順次切り替えるための切替順位が予め設定されている。たとえば、ＩＤテーブル１８ａ−１内の秘匿ＩＤが複数である場合、これら複数の秘匿ＩＤは、設定された切替順位に沿って、先頭の秘匿ＩＤから最後尾の秘匿ＩＤに向かう一連の順序で配列される。タグＩＤ切替制御部５３ａは、秘匿ＩＤの切替設定を初期化することによって、この先頭の秘匿ＩＤ（初期の秘匿ＩＤ）を抽出対象の秘匿ＩＤとするよう切替設定を更新する。この場合、タグＩＤ切替制御部５３ａは、図５に示すように、一連の順序で配列される複数の秘匿ＩＤたとえば秘匿ＩＤ１０１，１０２のうち、初期の秘匿ＩＤ１０１を抽出対象の秘匿ＩＤにする。
【００５６】
その後、タグＩＤ切替制御部５３ａは、たとえば情報端末装置１０によって送信された処理指示情報の検知判定処理を行う（ステップＳ１０４）。すなわち、タグ制御部５３がたとえば情報端末装置１０からの読取指示情報または書込指示情報等の処理指示情報を受信した場合、タグＩＤ切替制御部５３ａは、この処理指示情報を検知する（ステップＳ１０４，Ｙｅｓ）。一方、ステップＳ１０４において、タグ制御部５３が処理指示情報を受信しなければ、タグＩＤ切替制御部５３ａは、たとえば情報端末装置１０からの処理指示情報を検知せず（ステップＳ１０４，Ｎｏ）、上述したステップＳ１０１以降の処理手順を繰り返す。
【００５７】
タグＩＤ切替制御部５３ａは、ステップＳ１０４において処理指示情報を検知した場合、ＩＤテーブル１８ａ−１を参照し、ＩＤテーブル１８ａ−１内の１以上の秘匿ＩＤのうち、秘匿ＩＤの切替設定に基づく秘匿ＩＤを抽出する（ステップＳ１０５）。この場合、タグ切替制御部５３ａは、この切替設定が初期化されていれば、初期の秘匿ＩＤ（たとえば秘匿ＩＤ１０１）を抽出し、この切替設定が初期化されていなければ、抽出対象の秘匿ＩＤを切り替える処理（後述するステップＳ１０８）による切替後の秘匿ＩＤを抽出する。
【００５８】
タグＩＤ切替制御部５３ａは、ステップＳ１０５において秘匿ＩＤを抽出した場合、タグ制御部５３に対し、処理指示情報に付加されたＩＤ情報と照合するための秘匿ＩＤとして、この秘匿ＩＤを照合指定し（ステップＳ１０６）、その後、この処理指示情報によって指示される処理が完了したか否かを判断する（ステップＳ１０７）。
【００５９】
ステップＳ１０６において秘匿ＩＤが照合指定された場合、タグ制御部５３は、ステップＳ１０４において受信した処理指示情報のＩＤ情報と、この照合指定された秘匿ＩＤとを照合する照合処理を行う。この照合処理の結果、この処理指示情報のＩＤ情報と照合指定した秘匿ＩＤとが一致した場合、タグ制御部５３は、上述したように、この処理指示情報によって指示される処理を行う。その後、タグ制御部５３は、この処理指示情報に基づく処理が完了した場合、この処理が完了した旨を通知するための処理完了情報を処理指示元たとえば情報端末装置１０に送信する制御を行う。
【００６０】
タグＩＤ切替制御部５３ａは、タグ制御部５３が処理完了情報の送信制御を行っていなければ、この処理指示情報に基づく処理が完了していない判断し（ステップＳ１０７，Ｎｏ）、このステップＳ１０７を繰り返す。一方、タグＩＤ切替制御部５３ａは、タグ制御部５３が処理完了情報の送信制御を行えば、この処理指示情報に基づく処理が完了したと判断し（ステップＳ１０７，Ｙｅｓ）、つぎのステップＳ１０５において抽出する抽出対象の秘匿ＩＤを切り替える（ステップＳ１０８）。具体的には、タグＩＤ切替制御部５３ａは、この照合指定した秘匿ＩＤをつぎの切替順位の秘匿ＩＤに切り替え、この切替後の秘匿ＩＤをつぎのステップＳ１０５での抽出対象の秘匿ＩＤとするよう切替設定を更新する。その後、タグＩＤ切替制御部５３ａは、上述したステップＳ１０１以降の処理手順を繰り返す。
【００６１】
たとえば、タグＩＤ切替制御部５３ａは、初期の秘匿ＩＤ１０１を照合指定していれば、ステップＳ１０８において、この秘匿ＩＤ１０１をつぎの切替順位の秘匿ＩＤ１０２に切り替え、図５に示すように、つぎのステップＳ１０６において照合指定する秘匿ＩＤを初期の秘匿ＩＤ１０１から秘匿ＩＤ１０２に切り替えるよう切替設定を更新する。
【００６２】
一方、タグＩＤ切替制御部５３ａは、ステップＳ１０１においてＩＤ問合せ情報を検知しなければ（ステップＳ１０１，Ｎｏ）、秘匿ＩＤの切替設定を初期化せずに、上述したステップＳ１０４以降の処理手順を繰り返す。その後、タグＩＤ切替制御部５３ａは、ステップＳ１０４において処理指示情報を検知すれば、上述したステップＳ１０８による切替後の秘匿ＩＤをステップＳ１０５において抽出し、その直後のステップＳ１０６において、この切替後の秘匿ＩＤを照合指定する。
【００６３】
ここで、タグＩＤ切替制御部５３ａは、秘匿ＩＤの切替設定を初期化した場合、この初期化した切替設定に基づいて初期の秘匿ＩＤを抽出し、秘匿ＩＤの切替設定を初期化せずに上述したステップＳ１０１〜ステップＳ１０８の処理手順を繰り返した場合、ステップＳ１０８において順次更新した切替設定に基づいて、秘匿ＩＤを順次切り替えて抽出する。すなわち、タグＩＤ切替制御部５３ａは、たとえば図５に示すように、初期化した切替設定に基づいて秘匿ＩＤを抽出すれば、初期の秘匿ＩＤ１０１を照合指定し、つぎのステップＳ１０５の処理手順を行うまでに秘匿ＩＤの切替設定を初期化しなければ、つぎのステップＳ１０６では秘匿ＩＤ１０２に切り替えて照合指定する。
【００６４】
また、タグＩＤ切替制御部５３ａは、上述した一連の順序で配列される複数の秘匿ＩＤのうち、最後尾の秘匿ＩＤに対する次の秘匿ＩＤを先頭の秘匿ＩＤ（すなわち初期の秘匿ＩＤ）に設定する。これによって、タグＩＤ切替制御部５３ａは、ＲＦＩＤタグ５０に割り振られた複数の秘匿ＩＤのうちの最後尾の秘匿ＩＤを次の秘匿ＩＤに切り替える場合、初期の秘匿ＩＤに回帰する。この場合、タグＩＤ切替制御部５３ａは、たとえば図５に示すように、最後尾の秘匿ＩＤ１０２を照合指定していれば、つぎのステップＳ１０６では初期の秘匿ＩＤ１０１に切り替えて（すなわち回帰して）照合指定する。
【００６５】
かかるタグＩＤ切替制御部５３ａは、ステップＳ１０１〜Ｓ１０８の処理手順を繰り返すことによって、情報端末装置１０からの処理指示情報毎に、所定の切替規則に沿って、たとえば切替順位を１ずつ繰り上げるように秘匿ＩＤを切り替える切替規則に沿って、１以上の秘匿ＩＤ（たとえば秘匿ＩＤ１０１，１０２）を順次切り替えて照合指定する。
【００６６】
なお、タグＩＤ切替制御部５３ａは、タグ制御部５３が起動し始めた時点において、１以上の秘匿ＩＤのうち初期の秘匿ＩＤを抽出し、初期設定として、この初期の秘匿ＩＤを照合指定してもよい。すなわち、タグＩＤ切替制御部５３ａは、タグ制御部５３が起動し始めた後、ＩＤ問合せ情報を検知せずに処理指示情報を検知した場合、その直後のステップＳ１０６において初期の秘匿ＩＤ（たとえば秘匿ＩＤ１０１）を照合指定してもよい。
【００６７】
つぎに、ＩＤ切替制御部１９ａが行うＩＤ情報の切替動作について詳細に説明する。図４において、ＩＤ切替制御部１９ａは、まず、ＩＤ問合せ処理によって通知されたＩＤ情報たとえばＲＦＩＤタグ５０の応答ＩＤの検知判定処理を行う（ステップＳ２０１）。すなわち、使用者は、たとえばＲＦＩＤタグ５０にアクセスして情報を読み取りまたは書き込むために、情報端末装置１０を操作してＲＦＩＤタグ５０のＩＤ情報を予め問い合わせる。これによって、情報端末装置１０には、ＲＦＩＤタグ５０の応答ＩＤが通知される。制御部１９は、このＲＦＩＤタグ５０から通知された応答ＩＤを取得する。この場合、ＩＤ切替制御部１９ａは、ＲＦＩＤタグ５０から通知された応答ＩＤを検知し（ステップＳ２０１，Ｙｅｓ）、この応答ＩＤを取得する（ステップＳ２０２）。
【００６８】
ＩＤ切替制御部１９ａは、ステップＳ２０２において応答ＩＤを取得した場合、記憶部１８に記録されたＩＤテーブル（ＩＤテーブル１８ａ−１，１８ａ−２，…）のうち、この応答ＩＤに関するＩＤテーブルを選択し（ステップＳ２０３）、選択したＩＤテーブルを参照して秘匿ＩＤの切替設定を初期化する（ステップＳ２０４）。この初期化によって、ＩＤ切替制御部１９ａは、ＲＦＩＤシステム１の全ＲＦＩＤタグのうち、処理対象のＲＦＩＤタグ（たとえばＲＦＩＤタグ５０）に関する抽出対象の秘匿ＩＤを初期の秘匿ＩＤに変更する。
【００６９】
たとえば、ＩＤ切替制御部１９ａは、ステップＳ２０２においてＲＦＩＤタグ５０の応答ＩＤを取得すれば、記憶部１８に記録されたＩＤテーブルのうち、ＲＦＩＤタグ５０と同一のＩＤテーブル１８ａ−１を選択し、このＩＤテーブル１８ａを参照して、ＲＦＩＤタグ５０に関する秘匿ＩＤの切替設定を初期化する。この初期化によって、ＩＤ切替制御部１９ａは、上述したタグＩＤ切替制御部５３ａと同様に、抽出対象のＲＦＩＤタグ５０の秘匿ＩＤを初期の秘匿ＩＤ（たとえば上述した秘匿ＩＤ１０１）に変更する。
【００７０】
つぎに、ＩＤ切替制御部１９ａは、入力部１１によって入力された指定の応答ＩＤの検知判定処理を行う（ステップＳ２０５）。すなわち、使用者は、たとえばＲＦＩＤタグ５０にアクセスして情報を読み取りまたは書き込むために、入力部１１を操作し、ＲＦＩＤタグ５０に対して処理を指示するための指示情報とＲＦＩＤタグ５０の応答ＩＤを指定する指定情報とを入力する。制御部１９は、この入力操作によって入力部１１から入力された指示情報と応答ＩＤの指定情報とをもとに、たとえばＲＦＩＤタグ５０に処理を指示するための指示情報として、この応答ＩＤを指定した処理指示情報を生成する。この場合、ＩＤ切替制御部１９ａは、この処理指示情報に対して指定された応答ＩＤ（たとえばＲＦＩＤタグ５０の応答ＩＤ）を検知し（ステップＳ２０５，Ｙｅｓ）、検知した応答ＩＤを取得する（ステップＳ２０６）。一方、ステップＳ２０５において、使用者が指示情報と応答ＩＤの指定情報とを指定入力する操作を行わなければ、制御部１９は、処理指示情報を生成しない。この場合、ＩＤ切替制御部１９ａは、処理指示情報に指定される応答ＩＤを検知せず（ステップＳ２０５，Ｎｏ）、上述したステップＳ２０１以降の処理手順を繰り返す。
【００７１】
ＩＤ切替制御部１９ａは、処理指示情報に指定された応答ＩＤを取得した場合、記憶部１８に記録されたＩＤテーブルのうち、この応答ＩＤに関するＩＤテーブルを選択し（ステップＳ２０７）、選択したＩＤテーブル内の１以上の秘匿ＩＤのうち、この応答ＩＤを有するＲＦＩＤタグに関する秘匿ＩＤの切替設定に基づく秘匿ＩＤを抽出する（ステップＳ２０８）。
【００７２】
たとえば、ＩＤ切替制御部１９ａは、ステップＳ２０６においてＲＦＩＤタグ５０の応答ＩＤを取得すれば、記憶部１８に記録されたＩＤテーブルのうち、ＲＦＩＤタグ５０と同一のＩＤテーブル１８ａ−１を選択し、ＩＤテーブル１８ａ−１内の１以上の秘匿ＩＤのうち、ＲＦＩＤタグ５０の秘匿ＩＤの切替設定に基づく秘匿ＩＤを抽出する。この場合、ＩＤ切替制御部１９ａは、上述したタグＩＤ切替制御部５３ａと同様に、この秘匿ＩＤの切替設定を初期化していれば、ＲＦＩＤタグ５０の初期の秘匿ＩＤ（たとえば秘匿ＩＤ１０１）を抽出し、この秘匿ＩＤの切替設定を初期化していなければ、抽出対象の秘匿ＩＤを切り替える処理（後述するステップＳ２１１）によるＲＦＩＤタグ５０の切替後の秘匿ＩＤを抽出する。いずれの場合であっても、ＩＤ切替制御部１９ａは、この応答ＩＤがＲＦＩＤタグ５０の応答ＩＤであれば、ステップＳ２０８において、図５に示すように、上述したタグＩＤ切替制御部５３ａによる照合指定の秘匿ＩＤと同一の秘匿ＩＤを抽出する。
【００７３】
つぎに、ＩＤ切替制御部１９ａは、この処理指示情報に付加するＩＤ情報すなわちこの処理指示情報の処理指示先を指定するためのＩＤ情報として、ステップＳ２０８において抽出した秘匿ＩＤを送信指定する（ステップＳ２０９）。その後、ＩＤ切替制御部１９ａは、この処理指示情報によって指示した処理が完了したか否かを判断する（ステップＳ２１０）。
【００７４】
すなわち、ＩＤ切替制御部１９ａが秘匿ＩＤを送信指定した場合、制御部１９は、この処理指示情報に指定された応答ＩＤをこの秘匿ＩＤに切り替え、ＲＦＩＤ処理部１３に対し、この処理指示情報にこの秘匿ＩＤを付加して送信するよう制御する。これによって、この秘匿ＩＤを付加した処理指示情報は、ＲＦＩＤシステム１の処理対象のＲＦＩＤタグたとえばＲＦＩＤタグ５０に送信される。この場合、ＲＦＩＤタグ５０は、この秘匿ＩＤを付加した処理指示情報を受信し、この秘匿ＩＤと上述したタグＩＤ切替制御部５３ａが照合指定する秘匿ＩＤとが一致する場合に、この処理指示情報によって指示される処理たとえば情報読取処理または情報書込処理等を行う。この処理指示情報による処理が完了した場合、制御部１９は、たとえばＲＦＩＤタグ５０からの処理完了情報を受信する。
【００７５】
ＩＤ切替制御部１９ａは、制御部１９が処理完了情報を受信していなければ、この処理指示情報によって指示した処理が完了していないと判断し（ステップＳ２１０，Ｎｏ）、このステップＳ２１０を繰り返す。一方、ＩＤ切替制御部１９ａは、制御部１９が処理完了情報を受信すれば、この処理指示情報によって指示した処理が完了したと判断し（ステップＳ２１０，Ｙｅｓ）、この処理指示情報による処理対象のＲＦＩＤタグに関する抽出対象の秘匿ＩＤを切り替える（ステップＳ２１１）。この場合、ＩＤ切替制御部１９ａは、この処理対象のＲＦＩＤタグと同一の切替規則に沿って、この送信指定した秘匿ＩＤをつぎの切替順位の秘匿ＩＤに切り替え、この処理対象のＲＦＩＤタグに関し、この切替後の秘匿ＩＤをつぎのステップＳ２０８での抽出対象の秘匿ＩＤとするよう切替設定を更新する。その後、ＩＤ切替制御部１９ａは、上述したステップＳ２０１以降の処理手順を繰り返す。
【００７６】
たとえばＲＦＩＤタグ５０が、この処理指示情報の処理指示先である場合、ＩＤ切替制御部１９ａは、ＲＦＩＤタグ５０の初期の秘匿ＩＤ１０１を送信指定していれば、ステップＳ２１１において、上述したタグＩＤ切替制御部５３ａと同一の切替規則に沿って、この秘匿ＩＤ１０１をつぎの切替順位の秘匿ＩＤ１０２に切り替え、図５に示すように、つぎのステップＳ２０９において送信指定する秘匿ＩＤを初期の秘匿ＩＤ１０１から秘匿ＩＤ１０２に切り替えるよう切替設定を更新する。
【００７７】
一方、上述したステップＳ２０１において、制御部１９がＩＤ問合せ処理を行っていなければ、ＩＤ切替制御部１９ａは、ＩＤ問合せ処理によって通知されるＩＤ情報たとえばＲＦＩＤタグ５０の応答ＩＤを検知せず（ステップＳ２０１，Ｎｏ）、上述したステップＳ２０５以降の処理手順を繰り返す。この場合、ＩＤ切替制御部１９ａは、処理指示情報に指定される応答ＩＤをステップＳ２０５において検知すれば、この処理指示情報の処理対象のＲＦＩＤタグに関し、上述したステップＳ２１１による切替後の秘匿ＩＤをステップＳ２０８において抽出し、その直後のステップＳ２０９において、この切替後の秘匿ＩＤを送信指定する。
【００７８】
ここで、ＩＤ切替制御部１９ａは、処理対象のＲＦＩＤタグに関する秘匿ＩＤの切替設定を初期化した場合、この処理対象のＲＦＩＤタグに関し、この初期化した切替設定に基づいて初期の秘匿ＩＤを抽出し、処理対象のＲＦＩＤタグに関する秘匿ＩＤの切替設定を初期化せずに上述したステップＳ２０１〜Ｓ２１１の処理手順を繰り返した場合、この処理対象のＲＦＩＤタグに関し、ステップＳ２１１において順次更新した切替設定に基づいて秘匿ＩＤを順次切り替えて抽出する。
【００７９】
具体的には、ＲＦＩＤタグ５０が処理対象のＲＦＩＤタグである場合、ＩＤ切替制御部１９ａは、たとえば図５に示すように、上述したタグＩＤ切替制御部５３ａと同一の切替規則に沿って、初期の秘匿ＩＤ１０１を送信指定していれば、つぎのステップＳ２０９では秘匿ＩＤ１０２に切り替えて送信指定し、最後尾の秘匿ＩＤ１０２を送信指定していれば、つぎのステップＳ２０９では初期の秘匿ＩＤ１０１に切り替えて（すなわち回帰して）照合指定する。
【００８０】
かかるＩＤ切替制御部１９ａは、ステップＳ２０１〜Ｓ２１１の処理手順を繰り返すことによって、処理対象のＲＦＩＤタグ（たとえばＲＦＩＤタグ５０）のと同一の切替規則に沿って、このＲＦＩＤタグの１以上の秘匿ＩＤ（たとえば秘匿ＩＤ１０１，１０２）を処理指示情報毎に順次切り替えて送信指定する。これによって、ＩＤ切替制御部１９ａは、処理対象のＲＦＩＤタグ（たとえばＲＦＩＤタグ５０）に照合される秘匿ＩＤと同一のものを確実に送信指定できる。なお、この秘匿ＩＤの切替規則は、ＲＦＩＤシステム１の全ＲＦＩＤタグについて、共通のものであってもよいし、相互に異なるものであってもよい。
【００８１】
また、このようなＲＦＩＤシステム１の１以上のＲＦＩＤタグ（たとえばＲＦＩＤタグ５０）は、たとえば医療処置対象の患者毎に割り当られ、患者の名前、ＩＤ情報、および症状等の患者に関する情報（患者情報）がそれぞれ書き込まれる。医者または看護師等の使用者（この発明にかかるＲＦＩＤシステム１の特定の使用者）は、情報端末装置１０を用い、たとえばＲＦＩＤタグ５０へのアクセスを試みる。この場合、情報端末装置１０は、ＲＦＩＤタグ５０が上述した照合処理において照合する秘匿ＩＤと同一の秘匿ＩＤを処理指示情報に付加して送信できる。したがって、医者または看護師等の使用者は、このような情報端末装置１０を用いることによって、たとえばＲＦＩＤタグ５０に対してアクセスでき、ＲＦＩＤシステム１の各ＲＦＩＤタグに記録された各患者情報をそれぞれ読み取ることができ、または各ＲＦＩＤタグに所望の情報をそれぞれ書き込みことができる。
【００８２】
一方、ＲＦＩＤシステム１に無関係な第三者は、従来の情報端末装置を用いてたとえばＲＦＩＤタグ５０にアクセスしようと試みる。しかし、ＲＦＩＤタグ５０は、この従来の情報端末装置によるＩＤ情報の問合せに対して秘匿ＩＤを返答せずに応答ＩＤを返答する。このため、この従来の情報端末装置は、ＲＦＩＤタグ５０の秘匿ＩＤを取得することが困難であり、これによって、ＲＦＩＤタグ５０と同一の秘匿ＩＤを処理指示情報に付加して送信することが困難である。したがって、この第三者は、ＲＦＩＤタグ５０に対してアクセスすることが困難になる。このことは、ＲＦＩＤシステム１の全てのＲＦＩＤタグについて同様である。これによって、これら全てのＲＦＩＤタグに対する第三者による不正なアクセスを防止でき、患者情報等の第三者に読み取られたくない、または改竄されたくない各種情報を記録するＲＦＩＤタグとしての安全性を向上できる。
【００８３】
なお、ＲＦＩＤシステム１の各ＲＦＩＤタグ（たとえばＲＦＩＤタグ５０）のＩＤ情報を情報端末装置１０に登録するＩＤ登録処理は、ＲＦＩＤシステム１を運用する前に予め行われる。たとえば、ＲＦＩＤシステム１の各ＲＦＩＤタグのＩＤ情報（応答ＩＤおよび１以上の秘匿ＩＤ）を文字または数字等の視認可能な状態でこれらの各ＲＦＩＤタグ近傍にそれぞれ記録しておき、特定の使用者が、ＲＦＩＤシステム１の運用前に、入力部１１を操作して必要なＲＦＩＤタグのＩＤ情報を情報端末装置１０に直接入力して登録してもよい。または、ＲＦＩＤシステム１の各ＲＦＩＤタグのＩＤ情報（応答ＩＤおよび１以上の秘匿ＩＤ）に対応する光学情報をこれらの各ＲＦＩＤタグ近傍にそれぞれ記録しておき、特定の使用者が、ＲＦＩＤシステム１の運用前に、情報端末装置１０の光学情報読取機能を用いて必要なＲＦＩＤタグの光学情報を読み取ることによって登録してもよい。特定の使用者は、いずれの場合であっても、必要なＲＦＩＤタグのＩＤ情報を情報端末装置１０に登録した後、登録済みのＲＦＩＤタグとその近傍に記録されたＩＤ情報とを分離し、ＲＦＩＤシステム１の各ＲＦＩＤタグのＩＤ情報を第三者に知られないように管理する。
【００８４】
また、特定の使用者が管理するホストコンピュータにＲＦＩＤシステム１の１以上のＲＦＩＤタグの各ＩＤ情報を一括して登録し、特定の使用者が、ＲＦＩＤシステム１の運用前に、外部通信部１５を介して必要なＲＦＩＤタグのＩＤ情報を情報端末装置１０に入力して登録してもよいし、必要なＲＦＩＤタグのＩＤ情報が記録された記憶メディアを媒介にし、この必要なＲＦＩＤタグのＩＤ情報を情報端末装置１０に入力して登録してもよい。
【００８５】
さらに、ＲＦＩＤシステム１の各ＲＦＩＤタグ（たとえばＲＦＩＤタグ５０）の秘匿ＩＤを問い合わせて取得するための特殊な処理指示情報を情報端末装置１０に設定し、情報端末装置１０が、必要なＲＦＩＤタグからこの秘匿ＩＤを直に読み取るようにしてもよい。この場合、従来の情報端末装置がこの特殊な処理指示情報を送信できないようにするために、情報端末装置１０は、この特殊な処理指示情報を通常とは異なる変調方式で送信するようにし、または、必要なＲＦＩＤタグのＩＤ情報を登録し、この特殊な処理指示情報が必要なくなった場合に、この特殊な処理指示情報を送信しないようモード切替等を行うようにする。あるいは、ＲＦＩＤシステム１の各ＲＦＩＤタグが、この特殊な処理指示情報に応答して秘匿ＩＤを通知した後、この特殊な処理指示情報を受け付けないようにモード切替等を行うようにしてもよい。これによって、ＲＦＩＤシステム１の運用の際に、情報端末装置１０がＲＦＩＤシステム１の各ＲＦＩＤタグから秘匿ＩＤを読み取れないようにする。
【００８６】
なお、この発明の実施の形態１では、情報端末装置１０およびＲＦＩＤタグ５０は、各秘匿ＩＤの切替順位を１ずつ繰り上げるように複数の秘匿ＩＤを順次切り替えていたが、この発明はこれに限定されるものではなく、情報端末装置１０およびＲＦＩＤシステム１の各ＲＦＩＤタグは、情報端末装置１０による処理指示情報に付加される秘匿ＩＤと処理対象のＲＦＩＤタグに照合される秘匿ＩＤとが同一のものになるように、相互に同一の切替規則に沿って、双方の複数の秘匿ＩＤを切り替えればよく、たとえば各秘匿ＩＤの切替順位を２以上ずつ繰り上げるように双方の複数の秘匿ＩＤを順次切り替えてもよい。
【００８７】
また、この発明の実施の形態１では、情報端末装置１０およびＲＦＩＤタグ５０は、２つの秘匿ＩＤを順次切り替えていたが、この発明はこれに限定されるものではなく、ＲＦＩＤシステム１の各ＲＦＩＤタグには、応答ＩＤに１以上の秘匿ＩＤが対応付けられていればよく、情報端末装置１０は、これらの各ＲＦＩＤタグと同一のＩＤ情報を有していればよい。すなわち、情報端末装置１０およびＲＦＩＤシステム１の各ＲＦＩＤタグは、処理指示情報に付加されたＩＤ情報の照合処理とＩＤ情報の問合せ処理とに応じて、１つの秘匿ＩＤと応答ＩＤとを使え分けるようにしてもよいし、３以上の秘匿ＩＤを相互に同一の切替規則に沿って順次切り替えるようにしてもよい。また、これら複数の秘匿ＩＤは、応答ＩＤと異なるのみならず、秘匿ＩＤ間で相互に異なるものとしてもよい。
【００８８】
さらに、この発明の実施の形態１では、一連の順序で配列された複数の秘匿ＩＤのうち、最後尾の切替順位の秘匿ＩＤを先頭の切替順位の秘匿ＩＤ（すなわち初期の秘匿ＩＤ）に回帰するように切り替え、これら複数の秘匿ＩＤを周回するようにしていたが、この発明はこれに限定されるものではなく、一連の順序で配列された複数の秘匿ＩＤのうち、最後尾の切替順位の秘匿ＩＤを前の切替順位の秘匿ＩＤに回帰するように切り替え、これら複数の秘匿ＩＤの後尾側を部分的に周回してもよいし、初期の秘匿ＩＤと最後尾の秘匿ＩＤとの間を往復するように複数の秘匿ＩＤを順次切り替えてもよい。
【００８９】
また、この発明の実施の形態１では、ＲＦＩＤタグ５０に割り振られる固有の秘匿ＩＤとして連番のＩＤ情報を用いていたが、この発明はこれに限定されるものではなく、ＲＦＩＤシステム１の各ＲＦＩＤタグに割り振られる１以上の秘匿ＩＤは、応答ＩＤと異なるＩＤ情報であればよく、この場合、各秘匿ＩＤ間において互いに相関性がない所望のＩＤ情報であってもよい。
【００９０】
さらに、この発明の実施の形態１では、ＲＦＩＤシステム１を構成する外部情報記録媒体としてＲＦＩＤタグを例示したが、この発明はこれに限定されるものではなく、この発明にかかるＲＦＩＤシステムの各外部情報記録媒体は、カード状の樹脂製板にＲＦＩＤ機能が設けられた非接触ＩＣカード等のＲＦＩＤ機能を有する各種形態の外部情報記録媒体であってもよい。
【００９１】
また、この発明の実施の形態１では、ＲＦＩＤシステム１を構成する情報端末装置として、ＲＦＩＤ機能を有するＰＤＡまたはノート型パソコン等の携帯型の情報端末装置を例示したが、この発明はこれに限定されるものではなく、この発明にかかるＲＦＩＤシステムを構成する情報端末装置は、外部情報記録媒体に対して非接触による情報読取処理または情報書込処理を行える情報端末装置であればよく、たとえば、ＲＦＩＤ機能を有するデスクトップ型パソコン等の据置型の情報端末装置であってもよい。
【００９２】
以上、説明したように、この発明の実施の形態１では、固有のＩＤ情報として、応答ＩＤとこの応答ＩＤと異なる１以上の秘匿ＩＤとを有し、情報端末装置によるＩＤ情報の問合せに対して応答ＩＤを返答し、情報端末装置からの処理指示情報に付加されたＩＤ情報と秘匿ＩＤとを照合するようにし、この秘匿ＩＤと一致するＩＤ情報が付加された処理指示情報によって指示された処理を行うように構成している。このため、処理指示情報に付加されたＩＤ情報と照合する秘匿ＩＤを情報端末装置に対して秘匿できるとともに、この秘匿ＩＤを付加した処理指示情報を送信する特定の情報端末装置によるアクセスを可能にし、これによって、第三者による不正なアクセスを防止するとともに、特定の情報端末装置を用いる特定の使用者が非接触で情報を読み取りまたは書き込むことができる外部情報記録媒体を実現することができる。
【００９３】
また、この外部情報記録媒体が、処理指示情報毎に、所定の切替規則に沿って１以上の秘匿ＩＤを切り替えて照合するようにし、この特定の情報端末装置が、この外部情報記録媒体と同一の応答ＩＤおよび１以上の秘匿ＩＤを有し、この外部情報記録媒体と同一の切替規則に沿って１以上の秘匿ＩＤを切り替え、この外部情報記録媒体が照合処理に用いる秘匿ＩＤと同一の秘匿ＩＤを付加した処理指示情報を送信するようにしている。これによって、この特定の情報端末装置がこの外部情報記録媒体に対して確実にアクセスできるとともに、第三者に対するこの外部情報記録媒体の安全性を向上することができる。
【００９４】
このような１以上の外部情報記録媒体とこのような特定の情報端末装置とを用いることによって、第三者による不正なアクセスを防止するとともに、特定の使用者が操作する特定の情報端末装置によって外部情報記録媒体にアクセスし、この外部情報記録媒体に記録された情報を非接触で読み取ることができ、またはこの外部情報記録媒体に非接触で情報を書き込むことができるＲＦＩＤシステムを実現することができる。
【００９５】
（実施の形態２）
つぎに、この発明の実施の形態２について詳細に説明する。上述した実施の形態１では、各秘匿ＩＤに予め設定された切替順位に沿って複数の秘匿ＩＤを順次切り替えていたが、この実施の形態２では、応答ＩＤを用いて秘匿ＩＤを算出し、この秘匿ＩＤを初期値として所定の演算規則に従い次の秘匿ＩＤの値を順次算出して秘匿ＩＤを順次切り替えている。
【００９６】
図６は、この発明の実施の形態２であるＲＦＩＤシステムの概略構成を模式的に例示するブロック図である。このＲＦＩＤシステム２は、実施の形態１の情報端末装置１０に代えて情報端末装置２０を有し、実施の形態１のＲＦＩＤシステム１の１以上のＲＦＩＤタグ（たとえばＲＦＩＤタグ５０）に代えて、ＲＦＩＤタグ６０と同様に構成する１以上のＲＦＩＤタグを有する。また、情報端末装置２０は、実施の形態１の制御部１９に代えて制御部２１を有する。制御部２１は、実施の形態１のＩＤ切替制御部１９ａに代えてＩＤ演算制御部２１ａを有する。さらに、ＲＦＩＤタグ６０は、実施の形態１のタグ制御部５３に代えてタグ制御部６１を有する。タグ制御部６１は、実施の形態１のタグＩＤ切替制御部５３ａに代えてタグＩＤ演算制御部６１ａを有する。また、記憶部５２には、ＩＤテーブル１８ａが記録されていない。記憶部１８には、ＲＦＩＤ６０に例示される１以上のＲＦＩＤタグの各ＩＤテーブルが記録されていない。その他の構成は実施の形態１と同じであり、同一構成部分には同一符号を付している。
【００９７】
なお、図６では、ＲＦＩＤシステム２を構成する１以上のＲＦＩＤタグのうち、ＲＦＩＤタグ６０を一例として示す。また、以下では、情報端末装置２０およびＲＦＩＤタグ６０の各構成および各機能を説明するが、ＲＦＩＤシステム２の全ＲＦＩＤタグは、ＲＦＩＤタグ６０と同様に機能し、情報端末装置２０は、ＲＦＩＤシステム２のＲＦＩＤタグ６０以外の各ＲＦＩＤタグに対し、ＲＦＩＤタグ６０の場合と同様に作用する。
【００９８】
記憶部５２は、ＲＦＩＤタグ６０に対して複数割り振られた固有のＩＤ情報のうち、１つのＩＤ情報が予め書き込まれる。ここで、ＲＦＩＤシステム２を構成する全ＲＦＩＤタグ（たとえばＲＦＩＤタグ６０）には、相互に固有である複数のＩＤ情報がそれぞれ割り振られている。各ＲＦＩＤタグの複数のＩＤ情報の各ＩＤ情報間には、所定の演算規則に従ってそれぞれ同様に変化する（たとえば各ＩＤ情報間の差が「＋１」である）という相関性がある。したがって、各ＲＦＩＤタグの複数のＩＤ情報は、この相関性を有する一連の番号たとえば所定数ずつ増加する一連の番号によって構成される。すなわち、記憶部５２には、ＲＦＩＤタグ６０に割り振られた複数のＩＤ情報のうち、所定の演算規則に従って変化する一連の番号の初期値を有する初期のＩＤ情報が予め書き込まれている。このことは、ＲＦＩＤシステム２のＲＦＩＤタグ６０以外の全ＲＦＩＤタグについても同様である。
【００９９】
タグ制御部６１は、上述したタグ制御部５３とほぼ同様に機能し、上述したように、タグＩＤ演算制御部６１ａを有する。タグＩＤ演算制御部６１ａは、ＩＤ問合せ情報に対して返答するＩＤ情報すなわち応答ＩＤとして、記憶部５３に予め記録された初期のＩＤ情報を抽出して送信指定し、この応答ＩＤを用いた演算式によって、この応答ＩＤと異なる秘匿ＩＤを算出する。また、タグＩＤ演算制御部６１ａは、所定の演算規則に従い、予め割り振られたＩＤ情報の範囲内で秘匿ＩＤを順次算出して更新する。
【０１００】
一方、制御部２１は、上述した制御部１９とほぼ同様に機能し、上述したように、ＩＤ演算制御部２１ａを有する。ＩＤ演算制御部２１ａは、ＩＤ問合せ処理によって取得した応答ＩＤをもとに、この応答ＩＤを有するＲＦＩＤタグと同一の演算規則に従って秘匿ＩＤを順次算出する。この場合、ＩＤ演算制御部２１ａは、たとえばＲＦＩＤタグ６０の応答ＩＤを問い合わせて取得すれば、ＲＦＩＤタグ６０と同一の演算規則（すなわちタグＩＤ演算制御部６１ａが用いる演算規則）に従って秘匿ＩＤを順次算出する。ＩＤ演算制御部２１ａは、処理指示情報毎に秘匿ＩＤを順次算出し、処理指示情報に付加する秘匿ＩＤとして順次切り替える。
【０１０１】
つぎに、タグＩＤ演算制御部６１ａが行うＩＤ情報の切替動作とＩＤ演算制御部２１ａが行うＩＤ情報の切替動作とについて詳細に説明する。図７は、タグＩＤ演算制御部６１ａがＲＦＩＤタグ６０のＩＤ情報を演算処理して切り替える処理手順を説明するフローチャートである。図８は、ＩＤ演算制御部２１ａが処理指示情報に対して指定するＩＤ情報を演算処理して切り替える処理手順を説明するフローチャートである。図９は、ＩＤ演算制御部２１ａによるＩＤ情報の切替動作とタグＩＤ演算制御部６１ａによるＩＤ情報の切替動作とを説明するための模式図である。
【０１０２】
まず、タグＩＤ演算制御部６１ａが行うＩＤ情報の切替動作について詳細に説明する。図７において、タグＩＤ演算制御部６１ａは、上述したステップＳ１０１と同様の処理を行い、ＩＤ問合せ情報を検知した場合（ステップＳ３０１，Ｙｅｓ）、タグ制御部６１に対し、このＩＤ問合せ情報の送信元たとえば情報端末装置２０に返答する応答ＩＤとして、記憶部５２内の初期のＩＤ情報を送信指定する（ステップＳ３０２）。
【０１０３】
つぎに、タグＩＤ演算制御部６１ａは、この初期のＩＤ情報すなわち応答ＩＤを送信指定したことをトリガーとし、記憶部５２内の秘匿ＩＤを初期化する（ステップＳ３０３）。この場合、タグＩＤ演算制御部６１ａは、所定の演算規則に従い、この応答ＩＤを用いて初期の秘匿ＩＤを算出する。この初期の秘匿ＩＤは、ＲＦＩＤタグ６０に割り振られた複数のＩＤ情報（すなわち応答ＩＤおよび１以上の秘匿ＩＤ）のうち、この演算規則に従って順次算出される秘匿ＩＤの初期値を有する。タグＩＤ演算制御部６１ａは、前回算出して記憶部５２に記録した秘匿ＩＤ（後述するステップＳ３０９による更新後の秘匿ＩＤ）をこの初期の秘匿ＩＤに更新することによってステップＳ３０３を達成する。
【０１０４】
たとえば、ＲＦＩＤタグ６０に固有である複数のＩＤ情報として連番のＩＤ情報「Ａ１００」、「Ａ１０１」、「Ａ１０２」が割り振られ、ＩＤ情報「Ａ１００」が基準のＩＤ情報として記憶部５２に記録された場合、タグＩＤ演算制御部６１ａは、図９に示すように、この初期のＩＤ情報「Ａ１００」を応答ＩＤ１００として送信指定する。また、タグＩＤ演算制御部６１ａは、応答ＩＤ１００を用い、所定の演算規則に従って初期の秘匿ＩＤ１０１（ＩＤ情報「Ａ１０１」を有する）を算出する。具体的には、タグＩＤ演算制御部６１ａは、応答ＩＤ１００のＩＤ情報「Ａ１００」に所定数たとえば「１」加算する演算式によって、初期の秘匿ＩＤ１０１（ＩＤ情報「Ａ１０１」を有する）を算出する。タグＩＤ演算制御部６１ａは、ステップＳ３０３において、たとえば初期の秘匿ＩＤ１０１を記憶部５２に上書きして秘匿ＩＤを初期化する。
【０１０５】
その後、タグＩＤ演算制御部６１ａは、上述したステップＳ１０４と同様の処理を行い、たとえば情報端末装置２０からの処理指示情報を検知しなければ（ステップＳ３０４，Ｎｏ）、上述したステップＳ３０１以降の処理手順を繰り返す。一方、タグＩＤ演算制御部６１ａは、たとえば情報端末装置２０からの処理指示情報を検知した場合（ステップＳ３０４，Ｙｅｓ）、記憶部５２内の秘匿ＩＤを読み出す（ステップＳ３０５）。この場合、タグＩＤ演算制御部６１ａは、記憶部５２内の秘匿ＩＤがステップＳ３０３によって初期化されていれば、初期の秘匿ＩＤ（たとえば秘匿ＩＤ１０１）を記憶部５２から読み出し、記憶部５２内の秘匿ＩＤが初期化されていなければ、前回算出して記憶部５２に上書きした更新後の秘匿ＩＤ（後述するステップＳ３０９による更新後の秘匿ＩＤ）を記憶部５２から読み出す。
【０１０６】
タグＩＤ演算制御部６１ａは、ステップＳ３０５において秘匿ＩＤを読み出した場合、上述したステップＳ１０６とほぼ同様に、タグ制御部６１に対し、この秘匿ＩＤを照合指定し（ステップＳ３０６）、その後、上述したステップＳ１０７と同様に、処理指示情報によって指示される処理が完了したか否かを判断する（ステップＳ３０７）。タグＩＤ演算制御部６１ａは、この処理が完了したと判断するまでステップＳ３０７を繰り返し、この処理が完了したと判断した場合、上述した所定の演算規則に従い、このステップＳ３０６において照合指定した現在の秘匿ＩＤを用いて次の秘匿ＩＤを算出する（ステップＳ３０８）。具体的には、タグＩＤ演算制御部６１ａは、このステップＳ３０８において、たとえば現在の秘匿ＩＤに所定数を加算する演算式によって次の秘匿ＩＤを算出する演算処理を行う。
【０１０７】
つぎに、タグＩＤ演算制御部６１ａは、このステップＳ３０８において算出した秘匿ＩＤを記憶部５２に上書きし、つぎのステップＳ３０５での読出対象の秘匿ＩＤとして、記憶部５２内の秘匿ＩＤを更新する（ステップＳ３０９）。これによって、タグＩＤ演算制御部６１ａは、記憶部５２内の秘匿ＩＤ（すなわち照合指定済みの秘匿ＩＤ）をステップＳ３０８において算出した次の秘匿ＩＤに切り替えることができる。その後、タグＩＤ演算制御部６１ａは、上述したステップＳ３０１以降の処理手順を繰り返す。
【０１０８】
たとえば、タグＩＤ演算制御部６１ａは、初期の秘匿ＩＤ１０１を照合指定していれば、ステップＳ３０８，Ｓ３０９において、この秘匿ＩＤ１０１の次の秘匿ＩＤ１０２を算出して秘匿ＩＤ１０２を記憶部５２に上書きする。具体的には、タグＩＤ演算制御部６１ａは、秘匿ＩＤ１０１のＩＤ情報「Ａ１０１」に所定数たとえば「１」加算する演算式によって、次の秘匿ＩＤ１０２（ＩＤ情報「Ａ１０２」を有する）を算出する。この場合、タグＩＤ演算制御部６１ａは、図９に示すように、つぎのステップＳ３０６において照合指定する秘匿ＩＤを初期の秘匿ＩＤ１０１から秘匿ＩＤ１０２に切り替えるために、記憶部５２内の秘匿ＩＤを更新する。
【０１０９】
一方、タグＩＤ演算制御部６１ａは、ステップＳ３０１においてＩＤ問合せ情報を検知しなければ（ステップＳ３０１，Ｎｏ）、記憶部５２内の秘匿ＩＤを初期化せずに、上述したステップＳ３０４以降の処理手順を繰り返す。ここで、タグＩＤ演算制御部６１ａは、ステップＳ３０４において処理指示情報を検知すれば、上述したステップＳ３０９による更新後の秘匿ＩＤを記憶部５２から読み出し、その直後のステップＳ３０６において、この更新後の秘匿ＩＤを照合指定する。
【０１１０】
ここで、タグＩＤ演算制御部６１ａは、記憶部５２内の秘匿ＩＤを初期化した場合、記憶部５２から初期の秘匿ＩＤを読み出し、記憶部５２内の秘匿ＩＤを初期化せずに上述したステップＳ３０１〜Ｓ３０９の処理手順を繰り返した場合、記憶部５２内の秘匿ＩＤを処理指示情報毎に切り替えて順次更新し、更新後の秘匿ＩＤを順次読み出す。すなわち、タグＩＤ演算制御部６１ａは、たとえば図９に示すように、記憶部５２内の秘匿ＩＤを初期化していれば、初期の秘匿ＩＤ１０１を読み出して照合指定し、つぎのステップＳ３０５の処理手順を行うまでに記憶部５２内の秘匿ＩＤを初期化しなければ、つぎのステップＳ３０６では更新後の秘匿ＩＤ１０２に切り替えて照合指定する。
【０１１１】
また、タグＩＤ演算制御部６１ａは、ＲＦＩＤタグ６０に割り振られた複数の秘匿ＩＤの各値を昇順または降順に配列した場合の最後尾の秘匿ＩＤに対する次の秘匿ＩＤを初期の秘匿ＩＤに設定する。これによって、タグＩＤ演算制御部６１ａは、最後尾の秘匿ＩＤを次の秘匿ＩＤに切り替える場合、初期の秘匿ＩＤに回帰する。具体的には、タグＩＤ演算制御部６１ａは、たとえば図９に示すように、最後尾の秘匿ＩＤ１０２を照合指定していれば、ステップＳ３０８において初期の秘匿ＩＤ１０１に回帰し、つぎのステップＳ３０６では初期の秘匿ＩＤ１０１に切り替えて（すなわち回帰して）照合指定する。
【０１１２】
かかるタグＩＤ演算制御部６１ａは、ステップＳ３０１〜Ｓ３０９の処理手順を繰り返すことによって、所定の演算規則に従う演算処理たとえば現在の秘匿ＩＤを用いた演算式によって次の秘匿ＩＤの値を順次算出する演算処理を繰り返し、ＲＦＩＤタグ６０に割り振られた複数のＩＤ情報のうちの秘匿ＩＤを処理指示情報毎に順次切り替えて照合指定する。この場合、タグＩＤ演算制御部６１ａは、算出した秘匿ＩＤ（たとえば秘匿ＩＤ１０１，１０２）を送信指定することはない。すなわち、ＲＦＩＤタグ６０は、情報端末装置２０等の外部からのＩＤ情報の問合せに対して秘匿ＩＤを返答することはない。
【０１１３】
なお、タグＩＤ演算制御部６１ａは、タグ制御部６１が起動し始めた時点において、上述した初期の秘匿ＩＤ（たとえば秘匿ＩＤ１０１）を算出し、初期設定として記憶部５２に記録してもよい。この場合、タグＩＤ演算制御部６１ａは、タグ制御部６１が起動し始めた後、ＩＤ問合せ情報を検知せずに処理指示情報を検知すれば、その直後のステップＳ３０５において初期の秘匿ＩＤを照合指定する。
【０１１４】
つぎに、ＩＤ演算制御部２１ａが行うＩＤ情報の切替動作について詳細に説明する。図８において、ＩＤ演算制御部２１ａは、上述したステップＳ２０１，Ｓ２０２と同様の処理を行い、ＲＦＩＤシステム２を構成する１以上のＲＦＩＤタグ（たとえばＲＦＩＤタグ６０）から通知される応答ＩＤを取得する（ステップＳ４０１，Ｓ４０２）。
【０１１５】
その後、ＩＤ演算制御部２１ａは、ステップＳ４０２において取得した応答ＩＤを用い、この応答ＩＤを通知したＲＦＩＤタグ（たとえばＲＦＩＤタグ６０）と同一の演算規則に従って初期の秘匿ＩＤを算出し、このＲＦＩＤタグの秘匿ＩＤとして、この初期の秘匿ＩＤを記憶部１８に書き込むまたは上書きする。これによって、ＩＤ演算制御部２１ａは、記憶部１８内の秘匿ＩＤのうち、このＲＦＩＤタグに関する秘匿ＩＤを初期化する（ステップＳ４０３）。この場合、ＩＤ演算制御部２１ａは、ＩＤ問合せ処理によって通知された応答ＩＤと、この応答ＩＤをもとに算出した初期の秘匿ＩＤとを対応付けて記憶部１８に格納し、ＲＦＩＤシステム２のＲＦＩＤタグ毎に保持管理する。
【０１１６】
たとえば、ＩＤ演算制御部２１ａは、ステップＳ４０２においてＲＦＩＤタグ６０の応答ＩＤ１００を取得した場合、ＲＦＩＤタグ６０と同一の演算規則に従い、この応答ＩＤ１００を用いて初期の秘匿ＩＤ１０１を算出する。ＩＤ演算制御部２１ａは、この秘匿ＩＤ１０１を応答ＩＤ１００と対応付けて記憶部１８に書き込みまたは上書きし、ＲＦＩＤタグ６０のＩＤ情報として保持管理する。これによって、ＩＤ演算制御部２１ａは、記憶部１８内の秘匿ＩＤのうち、ＲＦＩＤタグ６０に関する秘匿ＩＤを初期化する。
【０１１７】
つぎに、ＩＤ演算制御部２１ａは、上述したステップＳ２０５，Ｓ２０６と同様の処理を行い、入力部１１から入力された指定情報に基づいて処理指示情報に指定された応答ＩＤを検知すれば（ステップＳ４０４，Ｙｅｓ）、この応答ＩＤを取得する（ステップＳ４０５）。一方、ＩＤ演算制御部２１ａは、この指定情報に基づく応答ＩＤを検知しなければ（ステップＳ４０４，Ｎｏ）、上述したステップＳ４０１以降の処理手順を繰り返す。
【０１１８】
ＩＤ演算制御部２１ａは、ステップＳ４０５において応答ＩＤを取得した場合、記憶部１８内の秘匿ＩＤのうち、この応答ＩＤと対応付けた秘匿ＩＤを読み出す（ステップＳ４０６）。すなわち、ＩＤ演算制御部２１ａは、ステップＳ４０６において、この指定情報に基づく応答ＩＤを有するＲＦＩＤタグ（たとえばＲＦＩＤタグ６０）の秘匿ＩＤを記憶部１８から読み出す。この場合、ＩＤ演算制御部２１ａは、記憶部１８内の各ＲＦＩＤタグの秘匿ＩＤのうち、この応答ＩＤを有するＲＦＩＤタグの秘匿ＩＤがステップＳ４０３によって初期化されていれば、このＲＦＩＤタグの初期の秘匿ＩＤ（たとえば秘匿ＩＤ１０１）を記憶部１８から読み出し、この応答ＩＤを有するＲＦＩＤタグの秘匿ＩＤが初期化されていなければ、前回算出して記憶部１８に上書きしたこのＲＦＩＤタグの更新後の秘匿ＩＤ（後述するステップＳ４１０による更新後の秘匿ＩＤ）を記憶部１８から読み出す。いずれの場合であっても、ＩＤ演算制御部２１ａは、この指定情報に基づく応答ＩＤがたとえばＲＦＩＤタグ６０の応答ＩＤであれば、ステップＳ４０６において、図９に示すように、上述したタグＩＤ演算制御部６１ａによる照合指定の秘匿ＩＤと同一の秘匿ＩＤを読み出す。
【０１１９】
ＩＤ演算制御部２１ａは、ステップＳ４０６において秘匿ＩＤを読み出した場合、上述したステップＳ２０９と同様に、制御部２１に対し、この秘匿ＩＤを送信指定し（ステップＳ４０７）、その後、上述したステップＳ２１０と同様に、処理指示情報によって指示する処理が完了したか否かを判断する（ステップＳ４０８）。ＩＤ演算制御部２１ａは、この処理が完了したと判断するまでステップＳ４０８を繰り返し、この処理が完了したと判断した場合、この秘匿ＩＤを有するＲＦＩＤタグすなわち処理対象のＲＦＩＤタグ（たとえばＲＦＩＤタグ６０）と同一の演算規則に従い、このステップＳ４０７において送信指定した秘匿ＩＤを用いて、この処理対象のＲＦＩＤタグの次の秘匿ＩＤを算出する（ステップＳ４０９）。具体的には、ＩＤ演算制御部２１ａは、このステップＳ４０９において、上述したタグＩＤ演算制御部６１ａと同様に、たとえば現在の秘匿ＩＤに所定数を加算する演算式によって次の秘匿ＩＤの値を算出する演算処理を行う。
【０１２０】
つぎに、ＩＤ演算制御部２１ａは、このステップＳ４０９において算出した秘匿ＩＤを記憶部１８に上書きし、この処理対象のＲＦＩＤタグの秘匿ＩＤを次の秘匿ＩＤに更新する（ステップＳ４１０）。このようにして、ＩＤ演算制御部２１ａは、ＲＦＩＤシステム２のＲＦＩＤタグ毎に、記憶部１８に格納した処理対象のＲＦＩＤタグの秘匿ＩＤ（たとえば送信指定済みのＲＦＩＤタグ６０の秘匿ＩＤ）をステップＳ４０９において算出した次の秘匿ＩＤに切り替える。この場合、ＩＤ演算制御部２１ａは、ＲＦＩＤシステム２のＲＦＩＤタグ毎に、応答ＩＤと初期または更新後の秘匿ＩＤとを対応付けて保持管理する。
【０１２１】
たとえば、ＩＤ演算制御部２１ａは、ＲＦＩＤタグ６０の初期の秘匿ＩＤ１０１を照合指定していれば、ステップＳ４０９，Ｓ４１０において、この秘匿ＩＤ１０１の次の秘匿ＩＤ１０２を算出し、ＲＦＩＤタグ６０の次の秘匿ＩＤとして秘匿ＩＤ１０２を記憶部５２に上書きする。具体的には、ＩＤ演算制御部２１ａは、上述したタグＩＤ演算制御部６１ａと同様に、秘匿ＩＤ１０１のＩＤ情報「Ａ１０１」に所定数たとえば「１」加算する演算式によって、次の秘匿ＩＤ１０２（ＩＤ情報「Ａ１０２」を有する）を算出する。この場合、ＩＤ演算制御部２１ａは、図９に示すように、ＲＦＩＤタグ６０に対してつぎに送信する秘匿ＩＤを初期の秘匿ＩＤ１０１から秘匿ＩＤ１０２に切り替えるために、記憶部１８内のＲＦＩＤタグ６０の秘匿ＩＤを更新する。
【０１２２】
一方、ＩＤ演算制御部２１ａは、ステップＳ４０１において、ＩＤ問合せ処理によって通知される応答ＩＤを検知しなければ（ステップＳ４０１，Ｎｏ）、記憶部１８内の各ＲＦＩＤタグの秘匿ＩＤを初期化せずに、上述したステップＳ４０４以降の処理手順を繰り返す。ここで、ＩＤ演算制御部６１ａは、ステップＳ４０４において処理指示情報に指定された応答ＩＤを検知すれば、この応答ＩＤを有するＲＦＩＤタグすなわち処理対象のＲＦＩＤタグの更新後の秘匿ＩＤ（上述したステップＳ４１０による更新後の秘匿ＩＤ）を記憶部５２から読み出し、その直後のステップＳ４０７において、この処理対象のＲＦＩＤタグの更新後の秘匿ＩＤを送信指定する。
【０１２３】
ここで、ＩＤ演算制御部２１ａは、処理対象のＲＦＩＤタグ（たとえばＲＦＩＤタグ６０）の秘匿ＩＤを初期化した場合、このＲＦＩＤタグの初期の秘匿ＩＤを記憶部１８から読み出し、このＲＦＩＤタグの秘匿ＩＤを初期化せずに上述したステップＳ４０１〜Ｓ４１０の処理手順を繰り返した場合、このＲＦＩＤタグと同一の演算規則に従い、このＲＦＩＤタグの秘匿ＩＤを処理指示情報毎に算出して順次更新し、このＲＦＩＤタグの更新後の秘匿ＩＤを記憶部１８から順次読み出す。これによって、ＩＤ演算制御部２１ａは、処理対象のＲＦＩＤタグに照合される秘匿ＩＤと同一のものを送信指定できる。たとえば、ＩＤ演算制御部２１ａは、図９に示すように、処理対象に指定されたＲＦＩＤタグ６０のタグＩＤ演算制御部６１ａによって照合指定される秘匿ＩＤ（たとえば秘匿ＩＤ１０１，１０２）と同一のものを確実に送信指定する。
【０１２４】
かかるＩＤ演算制御部２１ａは、ステップＳ４０１〜Ｓ４１０の処理手順を繰り返すことによって、処理対象のＲＦＩＤタグ（たとえばＲＦＩＤタグ６０）と同一の演算規則に従って、このＲＦＩＤタグの秘匿ＩＤを処理指示情報毎に順次算出し、得られた秘匿ＩＤをＲＦＩＤタグ毎に更新するとともに保持管理して送信指定する。これによって、ＩＤ演算制御部２１ａは、処理対象のＲＦＩＤタグ（たとえばＲＦＩＤタグ６０）に照合される秘匿ＩＤと同一の秘匿ＩＤを確実に送信指定できる。なお、この演算規則は、ＲＦＩＤシステム２の全ＲＦＩＤタグについて、共通のものであってもよいし、相互に異なるものであってもよい。
【０１２５】
このようなＲＦＩＤタグ６０に例示される１以上のＲＦＩＤタグと情報端末装置２０とを用いたＲＦＩＤシステム２では、上述した実施の形態１と同様の作用効果を得ることができる。また、ＲＦＩＤシステム２の１以上のＲＦＩＤタグは、上述した演算規則に従ってＩＤ情報を演算処理するための演算プログラムと上述した初期のＩＤ情報とを有していればよいので、実施の形態１の場合に比してＲＦＩＤタグの負荷を低減できる。さらに、情報端末装置２０では、ＲＦＩＤシステム２の各ＲＦＩＤタグと同一の演算プログラムを有していればよいので、実施の形態１の情報端末装置１０に比して、制御部２１および記憶部１８の負荷を低減できる。
【０１２６】
なお、この発明の実施の形態２では、ＲＦＩＤタグ６０は、所定の演算規則に従って算出した秘匿ＩＤを処理指示情報のＩＤ情報と照合し、情報端末装置２０は、ＲＦＩＤタグ６０と同一の演算規則に従って算出した同一の秘匿ＩＤを処理指示情報とともに送信していたが、この発明はこれに限定されるものではなく、この情報端末装置２０と実施の形態１のＲＦＩＤシステム１の各ＲＦＩＤタグ（たとえばＲＦＩＤタグ５０）とを組み合わせてＲＦＩＤシステムを構成してもよいし、ＲＦＩＤシステム２の各ＲＦＩＤタグ（たとえばＲＦＩＤタグ６０）と実施の形態１の情報端末装置１０とを組み合わせてＲＦＩＤシステムを構成してもよい。この場合、上述した情報端末装置１０は、たとえばＲＦＩＤタグ６０に割り振られた応答ＩＤと１以上の秘匿ＩＤとを対応付けたＩＤテーブルを有し、ＲＦＩＤタグ６０が所定の演算規則に従って算出する秘匿ＩＤと同一のものに順次切り替えて送信すればよい。また、情報端末装置２０は、たとえばＲＦＩＤタグ５０の秘匿ＩＤを順次算出する演算プログラムを有し、ＲＦＩＤタグ５０が所定の切替規則に従って切り替えて照合指定する秘匿ＩＤと同一のものを順次算出して送信すればよい。
【０１２７】
また、この発明の実施の形態２では、情報端末装置２０およびＲＦＩＤタグ６０は、各秘匿ＩＤの数値を１ずつ加算して順次切り替えていたが、この発明はこれに限定されるものではなく、ＲＦＩＤシステム２を構成する情報端末装置２０と１以上のＲＦＩＤタグは、情報端末装置２０による処理指示情報に付加される秘匿ＩＤと処理対象のＲＦＩＤタグ（たとえばＲＦＩＤタグ６０）による照合処理で照合される秘匿ＩＤとが同一のものになるように、相互に同一の演算規則に従って秘匿ＩＤを順次算出すればよい。この場合、秘匿ＩＤの値は、降順または昇順に順次演算処理されてもよく、たとえば各秘匿ＩＤ間において所定数ずつ増加または減少するものでもよいし、または各秘匿ＩＤ間において所定数ずつ乗算または除算されるものでもよい。
【０１２８】
さらに、この発明の実施の形態２では、現在の秘匿ＩＤの値に「１」を加算して次の秘匿ＩＤの値を昇順に順次算出し、この昇順の最後尾の秘匿ＩＤを算出した場合、この最後尾の秘匿ＩＤに対する次の秘匿ＩＤを初期の秘匿ＩＤに設定して、初期の秘匿ＩＤと最後尾の秘匿ＩＤとの間を周回するように秘匿ＩＤを切り替えていたが、この発明はこれに限定されるものではなく、初期の秘匿ＩＤの値を初期値とし、現在の秘匿ＩＤを用いた演算式によって次の秘匿ＩＤの値を降順または昇順に順次演算処理し、初期の秘匿ＩＤとこの降順または昇順の最後尾の秘匿ＩＤとの間を往復するように秘匿ＩＤの値を順次算出して切り替えてもよい。
【０１２９】
また、この発明の実施の形態２では、情報端末装置２０およびＲＦＩＤタグ６０は、２つの秘匿ＩＤを順次切り替えていたが、この発明はこれに限定されるものではなく、ＲＦＩＤシステム２の各ＲＦＩＤタグ（たとえばＲＦＩＤタグ６０）に複数割り振られた固有のＩＤ情報の範囲内の数量であれば、算出して切り替える秘匿ＩＤは、１つでもよいし、複数でもよい。
【０１３０】
さらに、この発明の実施の形態２では、ＲＦＩＤシステム２を構成する外部情報記録媒体としてＲＦＩＤタグ６０を例示したが、この発明はこれに限定されるものではなく、この発明にかかるＲＦＩＤシステムを構成する外部情報記録媒体は、カード状の樹脂製板にＲＦＩＤ機能が設けられた非接触ＩＣカード等のＲＦＩＤ機能を有する各種形態の外部情報記録媒体であってもよい。
【０１３１】
また、この発明の実施の形態２では、ＲＦＩＤシステム２を構成する情報端末装置として、ＲＦＩＤ機能を有するＰＤＡまたはノート型パソコン等の携帯型の情報端末装置を例示したが、この発明はこれに限定されるものではなく、この発明にかかるＲＦＩＤシステムを構成する情報端末装置は、外部情報記録媒体に対して非接触による情報読取処理または情報書込処理を行える情報端末装置であればよく、たとえば、ＲＦＩＤ機能を有するデスクトップ型パソコン等の据置型の情報端末装置であってもよい。
【０１３２】
以上、説明したように、この発明の実施の形態２では、予め割り振られた固有のＩＤ情報群のうち、これに含まれる各ＩＤ情報を順次演算処理する場合の初期値を有する初期のＩＤ情報を有し、情報端末装置によるＩＤ情報の問合せに対し、この初期のＩＤ情報を応答ＩＤとして返答し、この応答ＩＤを用いた演算式によって、この応答ＩＤと異なる秘匿ＩＤを算出し、情報端末装置からの処理指示情報に付加されたＩＤ情報とこの秘匿ＩＤとを照合するようにし、この秘匿ＩＤと一致するＩＤ情報が付加された処理指示情報によって指示された処理を行うように構成している。このため、上述した実施の形態１の作用効果を享受するとともに、アクセス動作を行う場合にかかる負荷をより低減できる外部情報記録媒体を実現することができる。
【０１３３】
また、この外部情報記録媒体が、所定の演算規則に従って秘匿ＩＤを順次算出し、処理指示情報毎に秘匿ＩＤを切り替えて照合するようにし、この外部情報記録媒体によって照合される秘匿ＩＤと同一の秘匿ＩＤを算出して処理指示情報とともに送信する特定の情報端末装置とこの外部情報記録媒体とを用いることによって、上述した実施の形態１と同様の作用効果を享受できるＲＦＩＤシステムを実現することができる。
【０１３４】
（実施の形態３）
つぎに、この発明の実施の形態３について詳細に説明する。上述した実施の形態１では、処理指示情報毎に秘匿ＩＤを順次切り替えていたが、この実施の形態３では、処理指示情報によって指示される処理内容毎に秘匿ＩＤを切り替えるようにしている。
【０１３５】
図１０は、この発明の実施の形態３であるＲＦＩＤシステムの概略構成を模式的に例示するブロック図である。このＲＦＩＤシステム３は、実施の形態１の情報端末装置１０に代えて情報端末装置３０を有し、実施の形態１のＲＦＩＤシステム１の１以上のＲＦＩＤタグ（たとえばＲＦＩＤタグ５０）に代えて、ＲＦＩＤタグ７０と同様に構成する１以上のＲＦＩＤタグを有する。また、情報端末装置３０は、実施の形態１の制御部１９に代えて制御部３１を有する。制御部３１は、実施の形態１のＩＤ切替制御部１９ａに代えてＩＤ切替制御部３１ａを有する。さらに、ＲＦＩＤタグ７０は、実施の形態１のタグ制御部５３に代えてタグ制御部７１を有する。タグ制御部７１は、実施の形態１のタグＩＤ切替制御部５３ａに代えてタグＩＤ切替制御部７１ａを有する。また、記憶部５２には、上述したＩＤテーブル１８ａ−１に代えてＩＤテーブル１８ｂ−１が記録される。記憶部１８には、ＲＦＩＤシステム１の各ＲＦＩＤタグのＩＤテーブル（ＩＤテーブル１８ａ−１，１８ａ−２，…）に代えてＲＦＩＤシステム３の各ＲＦＩＤタグのＩＤテーブル（ＩＤテーブル１８ｂ−１，１８ｂ−２，…）が記録される。その他の構成は実施の形態１と同じであり、同一構成部分には同一符号を付している。
【０１３６】
なお、図１０では、ＲＦＩＤシステム３を構成する１以上のＲＦＩＤタグのうち、ＲＦＩＤタグ７０を一例として示す。また、以下では、情報端末装置３０およびＲＦＩＤタグ７０の各構成および各機能を説明するが、ＲＦＩＤシステム３の全ＲＦＩＤタグは、ＲＦＩＤタグ７０と同様に機能し、情報端的装置３０は、ＲＦＩＤシステム３のＲＦＩＤタグ７０以外の各ＲＦＩＤタグに対し、ＲＦＩＤタグ７０の場合と同様に作用する。
【０１３７】
制御部３１は、上述した制御部１９とほぼ同様に、情報端末装置３０の各構成部を制御し、ＲＦＩＤシステム３の１以上のＲＦＩＤタグ（たとえばＲＦＩＤタグ７０）にアクセスして上述した情報読取処理または情報書込処理等の各種処理を行う。この制御部３１が行う各種処理としては、情報読取処理および情報書込処理の他に、ＲＦＩＤタグが情報読取処理および情報書込処理を受け付ける状態であるか否かを問い合わせる状態問合せ処理、このＲＦＩＤタグの状態を変更する状態変更処理等がある。
【０１３８】
また、制御部３１は、上述したように、ＩＤ切替制御部３１ａを有する。ＩＤ切替制御部３１ａは、ＲＦＩＤシステム３の各ＲＦＩＤタグ（たとえばＲＦＩＤタグ７０）に対する処理指示情報の種別毎すなわち各ＲＦＩＤタグに指示する処理内容毎に秘匿ＩＤを切り替え、指示する処理内容に対応付けられた秘匿ＩＤを処理指示情報に付加して送信するよう制御部３１に指示する。
【０１３９】
一方、タグ制御部７１は、上述したタグ制御部５３とほぼ同様に、ＲＦＩＤタグ７０の各構成部を制御し、たとえば情報端末装置３０からの処理指示情報によって指示された各種処理を行う。この処理指示情報によって指示される処理として、たとえば情報読取処理、情報書込処理、状態問合せ処理、および状態変更処理等が挙げられる。
【０１４０】
また、タグ制御部７１は、上述したように、タグＩＤ切替制御部７１ａを有する。タグＩＤ切替制御部７１ａは、たとえば情報端末装置３０からの処理指示情報によって指示された処理内容毎に秘匿ＩＤを切り替え、指示された処理内容に対応付けられた秘匿ＩＤと処理指示情報に付加されたＩＤ情報とを照合するようタグ制御部７１に指示する。
【０１４１】
一方、ＲＦＩＤタグ７０の記憶部５２は、ＲＦＩＤタグ７０に固有である複数のＩＤ情報が予め書き込まれる。ここで、ＲＦＩＤシステム３を構成する全ＲＦＩＤタグ（たとえばＲＦＩＤタグ７０）には、相互に固有である複数のＩＤ情報がそれぞれ割り振られている。各ＲＦＩＤタグの複数のＩＤ情報は、たとえば情報端末装置３０によるＩＤ問合せ処理に対して返答するための応答ＩＤと、指示される処理内容毎に対応付けられる１以上の秘匿ＩＤとによって構成される。たとえば記憶部５２には、ＲＦＩＤタグ７０に固有のＩＤ情報として、これらの応答ＩＤと１以上の秘匿ＩＤとを対応付けたＩＤテーブル１８ｂ−１が予め書き込まれている。このことは、ＲＦＩＤシステム３のＲＦＩＤタグ７０以外の全ＲＦＩＤタグについても同様である。
【０１４２】
また、情報端末装置３０の記憶部１８は、ＲＦＩＤシステム３を構成する全ＲＦＩＤタグのＩＤ情報に関する各ＩＤテーブル（ＩＤテーブル１８ｂ−１，１８ｂ−２，…）が予め書き込まれている。この場合、記憶部１８は、たとえばＲＦＩＤタグ７０のＩＤテーブル１８ｂ−１を格納している。
【０１４３】
つぎに、ＩＤテーブル１８ｂ−１を例示して、ＲＦＩＤシステム３の各ＲＦＩＤタグのＩＤテーブルを具体的に説明する。ＩＤテーブル１８ｂ−１は、上述したように、ＲＦＩＤタグ７０に固有の応答ＩＤと１以上の秘匿ＩＤとによって構成され、応答ＩＤと１以上の秘匿ＩＤとが対応付けられている。また、１以上の秘匿ＩＤには、たとえば情報端末装置３０によって指示される処理内容がそれぞれ対応付けられている。図１１は、処理内容と対応付けられたＩＤテーブルの一具体例を模式的に示す模式図である。図１１に示すように、ＩＤテーブル１８ｂ−１は、ＲＦＩＤタグ７０に固有の応答ＩＤ１００と２つの秘匿ＩＤ１０１，１０２とを含み、応答ＩＤ１００と秘匿ＩＤ１０１，１０２とが対応付けられている。また、応答ＩＤ１００は、秘匿ＩＤ１０１，１０２と異なるＩＤ情報（たとえば「Ａ１００」）が割り振られ、秘匿ＩＤ１０１，１０２は、相互に異なるＩＤ情報（たとえば「Ａ１０１」および「Ａ１０２」）がそれぞれ割り振られる。さらに、秘匿ＩＤ１０１には、処理内容として情報読取処理および状態問合せ処理が対応付けられる。秘匿ＩＤ１０２には、処理内容として情報書込処理および状態変更処理が対応付けられる。
【０１４４】
つぎに、タグＩＤ切替制御部７１ａが行うＩＤ情報の切替動作とＩＤ切替制御部３１ａが行うＩＤ情報の切替動作とについて詳細に説明する。図１２は、タグＩＤ切替制御部７１ａがＲＦＩＤタグ７０のＩＤ情報を切り替える処理手順を説明するフローチャートである。図１３は、ＩＤ切替制御部３１ａが処理指示情報に対して指定するＩＤ情報を処理内容毎に切り替える処理手順を説明するフローチャートである。図１４は、ＩＤ切替制御部３１ａによるＩＤ情報の切替動作とタグＩＤ切替制御部７１ａによるＩＤ情報の切替動作とを説明するための模式図である。
【０１４５】
まず、タグＩＤ切替制御部７１ａが行うＩＤ情報の切替動作について詳細に説明する。図１２において、タグＩＤ切替制御部７１ａは、上述したステップＳ１０１と同様の処理を行い、ＩＤ問合せ情報を検知した場合（ステップＳ５０１，Ｙｅｓ）、ＩＤテーブル１８ｂ−１を参照して応答ＩＤ（たとえば応答ＩＤ１００）を抽出し、タグ制御部７１に対し、このＩＤ問合せ情報の送信元たとえば情報端末装置３０に返答するＩＤ情報として、この応答ＩＤを送信指定する（ステップＳ５０２）。このステップＳ５０２において、タグＩＤ切替制御部７１ａは、上述したタグＩＤ切替制御部５３ａと同様に、秘匿ＩＤ（たとえば秘匿ＩＤ１０１，１０２）を送信指定しない。すなわち、ＲＦＩＤタグ７０は、情報端末装置３０等の外部からのＩＤ情報の問合せに対して秘匿ＩＤを返答しない。
【０１４６】
つぎに、タグＩＤ切替制御部７１ａは、上述したステップＳ１０４と同様の処理を行い、たとえば情報端末装置３０からの処理指示情報を検知した場合（ステップＳ５０３，Ｙｅｓ）、検知した処理指示情報によって指示される処理内容を確認する（ステップＳ５０４）。そして、タグＩＤ切替制御部７１ａは、ＩＤテーブル１８ｂ−１を参照し、ステップＳ５０４において確認した処理内容と対応付けられた秘匿ＩＤを抽出する（ステップＳ５０５）。さらに、タグＩＤ切替制御部７１ａは、タグ制御部５３に対し、ステップＳ５０３において検知した処理指示情報に付加されたＩＤ情報と照合する秘匿ＩＤとして、ステップＳ５０３において抽出した秘匿ＩＤを照合指定する（ステップＳ５０６）。その後、タグＩＤ切替制御部７１ａは、上述したステップＳ５０１以降の処理手順を繰り返す。
【０１４７】
具体的には、タグＩＤ切替制御部７１ａは、処理指示情報によって指示された処理内容が情報読取処理または状態問合せ処理である旨を確認した場合、たとえば図１１に例示するＩＤテーブル１８ｂ−１を参照し、情報読取処理または状態問合せ処理と対応付けられた秘匿ＩＤ１０１を抽出して照合指定する。また、タグＩＤ切替制御部７１ａは、この処理内容が情報書込処理または状態変更処理である旨を確認した場合、このＩＤテーブル１８ｂを参照し、情報書込処理または状態変更処理と対応付けられた秘匿ＩＤ１０２を抽出して照合指定する。すなわち、タグＩＤ切替制御部７１ａは、図１４に示すように、処理指示情報によって指示される処理内容毎（たとえば情報読取処理または状態問合せ処理と情報書込処理または状態変更処理とに分類した処理内容毎）に秘匿ＩＤを切り替えて照合指定する。
【０１４８】
一方、タグＩＤ切替制御部７１ａは、ステップＳ５０１においてＩＤ問合せ情報を検知しなければ（ステップＳ５０１，Ｎｏ）、ステップＳ５０３以降の処理手順を繰り返す。また、タグＩＤ切替制御部７１ａは、ステップＳ５０３において、たとえば情報端末装置３０からの処理指示情報を検知しなければ（ステップＳ５０３，Ｎｏ）、ステップＳ５０１以降の処理手順を繰り返す。
【０１４９】
つぎに、ＩＤ切替制御部３１ａが行うＩＤ情報の切替動作について詳細に説明する。図１３において、ＩＤ切替制御部３１ａは、上述したステップＳ２０５，Ｓ２０６と同様の処理を行い、入力部１１から入力された指定情報に基づいて処理指示情報に指定された応答ＩＤを検知すれば（ステップＳ６０１，Ｙｅｓ）、この応答ＩＤを取得する（ステップＳ６０２）。一方、ＩＤ切替制御部３１ａは、この指定情報に基づく応答ＩＤを検知しなければ（ステップＳ６０１，Ｎｏ）、このステップＳ６０１を繰り返す。
【０１５０】
ＩＤ切替制御部３１ａは、ステップＳ６０２において応答ＩＤを取得した場合、記憶部１８内のＩＤテーブル（ＩＤテーブル１８ｂ−１，１８ｂ−２，…）のうち、この応答ＩＤに関連するＩＤテーブルを選択する（ステップＳ６０３）。すなわち、ＩＤ切替制御部３１ａは、ステップＳ６０３において、ＲＦＩＤシステム３の全ＲＦＩＤタグのうち、この指定情報に基づく応答ＩＤを有するＲＦＩＤタグ（たとえばＲＦＩＤタグ６０）のＩＤテーブル（たとえばＩＤテーブル１８ｂ−１）を選択する。
【０１５１】
つぎに、ＩＤ切替制御部３１ａは、ステップＳ６０２において取得した応答ＩＤが指定された処理指示情報を抽出し、この処理指示情報によって指示される処理内容を確認する（ステップＳ６０４）。ＩＤ切替制御部３１ａは、この処理内容を確認した場合、ステップＳ６０３において選択したＩＤテーブルを参照して、この処理内容と対応付けられた秘匿ＩＤを抽出し（ステップＳ６０５）、制御部３１に対し、この抽出した秘匿ＩＤを送信指定する（ステップＳ６０６）。この場合、この秘匿ＩＤは、この処理指示情報の処理指示先を指定するためのＩＤ情報として送信指定される。制御部３１は、送信指定された秘匿ＩＤをこの処理指示情報に付加し、この秘匿ＩＤと処理指示情報とを処理対象のＲＦＩＤタグ（たとえばＲＦＩＤタグ７０）に送信する制御を行う。その後、ＩＤ切替制御部３１ａは、上述したステップＳ６０１以降の処理手順を繰り返す。
【０１５２】
ここで、ＩＤ切替制御部３１ａは、ステップＳ６０２において、たとえばＲＦＩＤタグ７０の応答ＩＤ１００を取得した場合、ＲＦＩＤタグ７０と同一のＩＤテーブル１８ｂ−１を参照し、ステップＳ６０４において確認した処理内容に応じて秘匿ＩＤを切り替える。たとえば、ＩＤ切替制御部３１ａは、この処理内容が情報読取処理または状態問合せ処理である場合、秘匿ＩＤ１０１を送信指定し、この処理内容が情報書込処理または状態変更処理である場合、秘匿ＩＤ１０２を送信指定する。この場合、ＩＤ切替制御部３１ａは、図１４に示すように、タグＩＤ切替制御部７１ａが照合指定する秘匿ＩＤ１０１，１０２と同一の秘匿ＩＤ１０１，１０２を処理内容毎にそれぞれ切り替えて送信指定できる。
【０１５３】
かかるＩＤ切替制御部３１ａは、ステップＳ６０１〜Ｓ６０６の処理手順を繰り返すことによって、処理指示情報の処理内容毎に、処理対象のＲＦＩＤタグ（たとえばＲＦＩＤタグ７０）と同一の秘匿ＩＤに切り替えて送信指定できる。これによって、情報端末装置３０は、ＲＦＩＤシステム３の各ＲＦＩＤタグ（たとえばＲＦＩＤタグ７０）にアクセスでき、処理対象のＲＦＩＤタグに記録された情報を非接触で読み取り、または処理対象のＲＦＩＤタグに所望の情報を非接触で書き込みことができる。また、ＲＦＩＤタグ７０に例示されるＲＦＩＤシステム３の全ＲＦＩＤタグは、この処理内容毎の秘匿ＩＤを外部に通知しないので、この処理内容毎の秘匿ＩＤが登録されていない従来の情報端末装置によるアクセスを防止する。このようなＲＦＩＤタグ７０に例示される１以上のＲＦＩＤタグと情報端末装置３０とを用いたＲＦＩＤシステム２では、上述した実施の形態１と同様の作用効果を得ることができる。
【０１５４】
なお、この発明の実施の形態３では、ＲＦＩＤタグ７０に固有の２つの秘匿ＩＤ１０１，１０２に情報読取処理および状態問合せ処理と情報書込処理および状態変更処理とがそれぞれ対応付けられていたが、この発明はこれに限定されるものではなく、ＲＦＩＤシステム３に用いられる１以上の外部情報記録媒体のそれぞれは、固有のＩＤ情報として、応答ＩＤとこの応答ＩＤと異なる１以上の秘匿ＩＤとを有し、かつ１以上の秘匿ＩＤには、所望の処理内容をそれぞれ対応付ければよい。この場合、処理内容と１以上の秘匿ＩＤとの組合せは、全ての外部情報記録媒体について共通でもよいし、相互に異なる組合せにしてもよい。
【０１５５】
また、この発明の実施の形態３では、ＲＦＩＤタグ７０に固有の２つの秘匿ＩＤ１０１，１０２に情報読取処理および状態問合せ処理と情報書込処理および状態変更処理とがそれぞれ対応付けられていたが、この発明はこれに限定されるものではなく、異なる秘匿ＩＤを演算する各演算式を所望の処理内容毎にそれぞれ対応付け、これらの各演算式のうち、外部情報記録媒体に指示する処理内容に対応付けられた演算式と応答ＩＤとを用いて秘匿ＩＤを演算するようにしてもよい。この場合、情報端末装置および外部情報記録媒体は、上述したＩＤテーブル１８ｂ−１に例示される秘匿ＩＤと処理内容とを対応付けたＩＤテーブルを保持していなくてもよい。
【０１５６】
さらに、この発明の実施の形態３では、ＲＦＩＤシステム３を構成する１以上の外部情報記録媒体としてＲＦＩＤタグ７０を例示したが、この発明はこれに限定されるものではなく、この発明にかかるＲＦＩＤシステムを構成する１以上の外部情報記録媒体は、カード状の樹脂製板にＲＦＩＤ機能が設けられた非接触ＩＣカード等のＲＦＩＤ機能を有する各種形態の外部情報記録媒体であってもよい。
【０１５７】
また、この発明の実施の形態３では、ＲＦＩＤシステム３を構成する情報端末装置として、ＲＦＩＤ機能を有するＰＤＡまたはノート型パソコン等の携帯型の情報端末装置を例示したが、この発明はこれに限定されるものではなく、この発明にかかるＲＦＩＤシステムを構成する情報端末装置は、外部情報記録媒体に対して非接触による情報読取処理または情報書込処理を行える情報端末装置であればよく、たとえば、ＲＦＩＤ機能を有するデスクトップ型パソコン等の据置型の情報端末装置であってもよい。
【０１５８】
以上、説明したように、この発明の実施の形態３では、固有のＩＤ情報として、応答ＩＤと、この応答ＩＤと異なるＩＤ情報であって、指示される処理内容毎に区分した１以上の秘匿ＩＤとを有し、情報端末装置によるＩＤ情報の問合せに対して応答ＩＤを返答し、情報端末装置からの処理指示情報によって指示される処理内容毎に秘匿ＩＤを切り替え、この処理指示情報に付加されたＩＤ情報と秘匿ＩＤとを照合するようにし、この秘匿ＩＤと一致するＩＤ情報が付加された処理指示情報によって指示された処理を行うように構成している。このため、１以上の秘匿ＩＤの切替順序を設定する必要がなく、上述した実施の形態１の作用効果を享受できる外部情報記録媒体を容易に実現することができる。
【０１５９】
また、処理内容と１以上の秘匿ＩＤとが所望の組合せで対応付けられた各外部情報記録媒体のＩＤ情報と同一の各ＩＤ情報（たとえば各ＩＤテーブル）を有し、外部情報記録媒体に指示する処理内容毎に秘匿ＩＤを切り替えて処理指示情報とともに送信する特定の情報端末装置と、このような１以上の外部情報記録媒体とを用いることによって、上述した実施の形態１と同様の作用効果を享受できるＲＦＩＤシステムを容易に実現することができる。
【図面の簡単な説明】
【０１６０】
【図１】この発明の実施の形態１であるＲＦＩＤシステムの概略構成を模式的に例示するブロック図である。
【図２】実施の形態１でのＩＤテーブルの一具体例を模式的に示す模式図である。
【図３】実施の形態１であるＲＦＩＤタグのＩＤ情報を切り替える処理手順を説明するフローチャートである。
【図４】処理指示情報に指定するＩＤ情報を切り替える処理手順を説明するフローチャートである。
【図５】実施の形態１である情報端末装置およびＲＦＩＤタグのＩＤ情報の切替動作を説明するための模式図である。
【図６】この発明の実施の形態２であるＲＦＩＤシステムの概略構成を模式的に例示するブロック図である。
【図７】実施の形態２であるＲＦＩＤタグのＩＤ情報を切り替える処理手順を説明するフローチャートである。
【図８】処理指示情報に指定するＩＤ情報を順次算出して切り替える処理手順を説明するフローチャートである。
【図９】実施の形態２である情報端末装置およびＲＦＩＤタグのＩＤ情報の切替動作を説明するための模式図である。
【図１０】この発明の実施の形態３であるＲＦＩＤシステムの概略構成を模式的に例示するブロック図である。
【図１１】実施の形態３でのＩＤテーブルの一具体例を模式的に示す模式図である。
【図１２】実施の形態３であるＲＦＩＤタグのＩＤ情報を切り替える処理手順を説明するフローチャートである。
【図１３】処理指示情報に指定するＩＤ情報を処理内容毎に切り替える処理手順を説明するフローチャートである。
【図１４】実施の形態３である情報端末装置およびＲＦＩＤタグのＩＤ情報の切替動作を説明するための模式図である。
【符号の説明】
【０１６１】
１，２，３  ＲＦＩＤシステム
１０，２０，３０  情報端末装置
１１  入力部
１２  表示部
１３，５１  ＲＦＩＤ処理部
１３ａ  アンテナ
１４  光学情報読取部
１５  外部通信部
１６  ストレージデバイス
１７  音声入出力部
１８，５２  記憶部
１８ａ−１，１８ａ−２，１８ｂ−１，１８ｂ−２  ＩＤテーブル
１９，２１，３１  制御部
１９ａ，３１ａ  ＩＤ切替制御部
２１ａ  ＩＤ演算制御部
５０，６０，７０  ＲＦＩＤタグ
５３，６１，７１  タグ制御部
５３ａ，７１ａ  タグＩＤ切替制御部
６１ａ  タグＩＤ演算制御部
１００  応答ＩＤ
１０１，１０２  秘匿ＩＤ
【図１】
2006178771.tif 000003
【図２】
2006178771.tif 000004
【図３】
2006178771.tif 000005
【図４】
2006178771.tif 000006
【図５】
2006178771.tif 000007
【図６】
2006178771.tif 000008
【図７】
2006178771.tif 000009
【図８】
2006178771.tif 000010
【図９】
2006178771.tif 000011
【図１０】
2006178771.tif 000012
【図１１】
2006178771.tif 000013
【図１２】
2006178771.tif 000014
【図１３】
2006178771.tif 000015
【図１４】
2006178771.tif 000016